(57)【特許請求の範囲】
【請求項１】
複数の利用者により共用される車両の予約を行う車両予約システムにおいて、
車両内に配設されるとともに、接触または非接触で前記車両の外部の第１の検知対象を検知する第１の検知手段を備えた即時利用予約装置を有し、
前記第１の検知手段が前記第１の検知対象を検知したときに前記即時利用予約装置を起動し、
前記即時利用予約装置は、
前記第１の検知手段により前記第１の検知対象が検知されると、前記車両の予約状況を確認し、所定の時点から連続して前記車両を利用可能な時間を算出する算出手段と、
それぞれ異なる複数の時間を表すとともに、前記複数の時間のそれぞれが選択可能であるか否かを表示する表示手段と、
前記算出手段により算出した前記車両を利用可能な時間に基づいて、前記表示手段における表示を制御する制御手段と、
前記表示手段において表される前記複数の時間のそれぞれに対応してそれぞれ配設され、接触または非接触で前記車両の外部の第２の検知対象を検知する第２の検知手段と、
前記第２の検知手段により前記第２の検知対象が検知されると、前記所定の時点から、前記第２の検知対象を検知した前記第２の検知手段に対応した時間だけ、前記車両の予約を行う予約手段と
を有し、
前記予約手段が予約を行うと前記即時利用予約装置を停止する
ことを特徴とする車両予約システム。
【請求項２】
請求項１に記載の車両予約システムにおいて、さらに、
前記予約手段により予約された時間または前記予約手段により予約された時間に所定の時間を加えた時間は、前記車両を予約することができない状態とする予約管理手段と
を有することを特徴とする車両予約システム。
【請求項３】
複数の利用者により共用される車両の予約を行う車両予約システムにおいて、
車両内に配設されるとともに、接触または非接触で前記車両の外部の第１の検知対象を検知する第１の検知手段を備えた即時利用予約装置を有し、
前記第１の検知手段が前記第１の検知対象を検知したときに前記即時利用予約装置を起動し、
前記即時利用予約装置は、
前記第１の検知手段により前記第１の検知対象が検知されると、前記車両の予約状況を確認し、所定の時点から連続して前記車両を利用可能な時間を算出する算出手段と、
それぞれ異なる複数の時間を表すとともに、前記複数の時間のそれぞれが選択可能であるか否かを表示する表示手段と、
前記算出手段により算出した前記車両を利用可能な時間に基づいて、前記表示手段における表示を制御する制御手段と、
前記表示手段において表される前記複数の時間のそれぞれに対応してそれぞれ配設され、接触または非接触で前記車両の外部の第２の検知対象を検知する第２の検知手段と、
前記第２の検知手段により前記第２の検知対象が検知されると、前記所定の時点から、前記第２の検知対象を検知した前記第２の検知手段に対応した時間だけ、前記所定の時間だけ前記車両の予約を不可能な状態として、前記車両の仮予約を行う予約手段と
を有し、
前記予約手段が予約を行うと前記即時利用予約装置を停止する
ことを特徴とする車両予約システム。
【請求項４】
請求項３に記載の車両予約システムにおいて、さらに、
前記複数の利用者に対して前記車両を利用するための認証を与える認証手段と
を有し、
前記予約手段により前記仮予約を行った利用者が、前記認証手段により認証を受けた場合にのみ、前記仮予約に基づいて前記車両の利用を可能にする
ことを特徴とする車両予約システム。
【請求項５】
請求項１、２、３または４のいずれか１項に記載の車両予約システムにおいて、
前記所定の時点は、前記第１の検知手段により前記第１の検知対象が検知された時点または前記車両の予約状況を確認した時点である
ことを特徴とする車両予約システム。
【請求項６】
請求項１、２、３、４または５のいずれか１項に記載の車両予約システムにおいて、
前記第１の検知手段と前記第２の検知手段とは近接センサであり、
前記表示手段はＬＥＤランプである
ことを特徴とする車両予約システム。
【請求項７】
複数の利用者により共用される車両の予約を行う車両予約方法において、
車両内に配設されるとともに接触または非接触で前記車両の外部の第１の検知対象を検知する第１の検知手段と、それぞれ異なる複数の時間を表すとともに前記複数の時間のそれぞれが選択可能であるか否かを表示する表示手段と、前記表示手段において表される前記複数の時間のそれぞれに対応してそれぞれ配設されて接触または非接触で前記車両の外部の第２の検知対象を検知する第２の検知手段とを備えた即時利用予約装置を有する車両予約システムにより、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、所定の時点から連続して前記車両を利用可能な時間を算出する算出工程と、
前記算出工程により算出した前記車両を利用可能な時間に基づいて、前記表示手段における表示を制御する制御工程と、
前記第２の検知手段により前記第２の検知対象が検知されると、前記所定の時点から、前記第２の検知対象を検知した前記第２の検知手段に対応した時間だけ、前記車両の予約を行う予約工程と、
前記予約工程で予約を行うと前記即時利用予約装置を停止する停止工程と
を前記車両予約システムが実行する
ことを特徴とする車両予約方法。
【請求項８】
請求項７に記載の車両予約方法において、さらに、
前記予約工程で予約された時間または前記予約工程で予約された時間に所定の時間を加えた時間は、前記車両を予約することができない状態とする予約管理工程と
を前記車両予約システムが実行する
ことを特徴とする車両予約方法。
【請求項９】
複数の利用者により共用される車両の予約を行う車両予約方法において、
車両内に配設されるとともに接触または非接触で前記車両の外部の第１の検知対象を検知する第１の検知手段と、それぞれ異なる複数の時間を表すとともに前記複数の時間のそれぞれが選択可能であるか否かを表示する表示手段と、前記表示手段において表される前記複数の時間のそれぞれに対応してそれぞれ配設されて接触または非接触で前記車両の外部の第２の検知対象を検知する第２の検知手段とを備えた即時利用予約装置を有する車両予約システムにより、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、所定の時点から連続して前記車両を利用可能な時間を算出する算出工程と、
前記算出工程により算出した前記車両を利用可能な時間に基づいて、前記表示手段における表示を制御する制御工程と、
前記第２の検知手段により前記第２の検知対象が検知されると、前記所定の時点から、前記第２の検知対象を検知した前記第２の検知手段に対応した時間だけ、前記所定の時間だけ前記車両の予約を不可能な状態として、前記車両の仮予約を行う予約工程と、
前記予約工程で仮予約を行うと前記即時利用予約装置を停止する停止工程と
を前記車両予約システムが実行する
ことを特徴とする車両予約方法。
【請求項１０】
請求項９に記載の車両予約方法において、さらに、
前記複数の利用者に対して前記車両を利用するための認証を与える認証工程と
を前記車両予約システムが実行し、
前記予約工程で前記仮予約を行った利用者が、前記認証工程で認証を受けた場合にのみ、前記仮予約に基づいて前記車両の利用を可能にする
ことを特徴とする車両予約方法。
【請求項１１】
請求項７、８、９または１０のいずれか１項に記載の車両予約方法において、
前記所定の時点は、前記第１の検知手段により前記第１の検知対象が検知された時点または前記車両の予約状況を確認した時点である
ことを特徴とする車両予約方法。
【請求項１２】
請求項７、８、９、１０または１１のいずれか１項に記載の車両予約方法において、
前記第１の検知手段と前記第２の検知手段とは近接センサであり、
前記表示手段はＬＥＤランプである
ことを特徴とする車両予約方法。
【請求項１３】
請求項１、２、３、４、５または６のいずれか１項に記載の車両予約システムとしてコンピューターを機能させるためのプログラム。
【請求項１４】
請求項７、８、９、１０、１１または１２のいずれか１項に記載の車両予約方法をコンピューターに実行させるためのプログラム。
【請求項１５】
請求項１３または１４のいずれか１項に記載のプログラムを記録したコンピューター読み取り可能な記録媒体。
【発明の詳細な説明】
【技術分野】
【０００１】
本発明は、車両予約システム、車両予約方法、プログラムおよびコンピューター読み取り可能な記録媒体に関し、さらに詳細には、複数の利用者により共用される車両を予約する車両予約システム、車両予約方法、プログラムおよびコンピューター読み取り可能な記録媒体に関する。
【背景技術】
【０００２】
複数の利用者が車両を共用する利用形態の一例として、一台の自動車を複数の会員が共同で利用する、所謂、カーシェアリングが知られている。
【０００３】
ここで、カーシェアリングとは、利用者は自ら自動車を所有せず、カーシェアリング事業者（以下、単に「事業者」と適宜に称する。）の会員となり、必要に応じてその事業者から提供された自動車を借りるというものである。
【０００４】
また、カーシェアリングは、ある地域に限定したコミュニティーの中で会員同士で自動車を共有し、インターネットなどを通じて車両の利用状態の確認や利用予約を行うようにしているため、貸し出し手続に時間を必要とせず、貸し出し・返却場所は、居住しているマンションの駐車場であったり、あるいは、通勤駅の近くであったりと、会員が利用するにあたって便利な場所に設定されていることが多い。
【０００５】
こうしたカーシェアリングにより、利用者は、自動車を所有する場合に比べて、自動車取得費用、維持経費ならびに駐車料金といった費用を削減することができるようになる。
【０００６】
さらに、カーシェアリングが広く普及されることにより、自動車の総台数の低減が見込まれ、都市の交通渋滞の緩和やエネルギー消費量の低減により、二酸化炭素による地球温暖化を抑止する効果が期待されている。
【０００７】
なお、以下の説明においては、「自動車」を「車両」と称することとする。
【０００８】
ところで、上記したようなカーシェアリングを可能とするシステム（以下、「カーシェアリングを可能とするシステム」を、「カーシェアリングシステム」と称する。）では、事業者が事業目的で車載器を搭載した車両を準備し、事業者は当該車両を会員登録済みの複数の利用者に提供するものであった。
【０００９】
なお、車載器とは、カーシェリングシステムにより車両を管理するための装置である。
【００１０】
そして、利用者は当該車両を共用し、当該車両の利用に伴って生じた料金を事業者に対して支払うものであった。
【００１１】
即ち、こうしたカーシェアリングシステムにおいては、事業者がカーシェアリングシステムの管理を行うとともに、当該カーシェアリングシステムによる管理を行うための車載器を搭載した車両の維持、管理を行う。
【００１２】
また、事業者は、車両を共用する利用者を募集し、募集に応じた複数の利用者と事業者との間で車両の利用に関する契約を交わし、車載器が搭載された車両を当該複数の利用者に提供する。
【００１３】
そして、利用者はそれぞれ、事業者から提供された車両（つまり、車載器が搭載された車両である。）の利用予約を行って当該車両を共用することとなる。
【００１４】
なお、こうした予約および予約を行うための予約サイトの管理についても、事業者が行うこととなる。
【００１５】
そして、利用者は、車両の利用により生じた料金を事業者に支払うものである。
【００１６】
上記したようなカーシェアリングシステムにおいては、例えば、図１のブロック構成図に示すようなシステムを構築し、このシステムにより車両の予約や運行の管理が行われている。
【００１７】
即ち、従来の技術によるカーシェアリングシステム１００は、カーシェアリングシステム１００の事業者のパーソナルコンピューター１０２や事業者の会員となった利用者のパーソナルコンピューター１０４や当該利用者の携帯端末１０６とネットワークを介して接続されるサーバー１０８と、車両１１０に設けられて携帯電話網でサーバー１０８と接続される車載器１１２と、車両１１０の所定の位置に取り付けられるとともに車載器１１２に接続されるカードリーダー１１４と、車両１１０のダッシュボード内などに設けられるとともに車載器１１２に接続されるキーボックス１１６とを有して構成されている。
【００１８】
以上の構成において、カーシェアリングシステム１００を利用して車両１１０の予約や利用を行うには、まず、利用者が事業者に対して会員登録を行う。このとき、事業者は、各利用者に対して利用者固有の登録コードを作成するとともに、当該登録コードを認証用コードとして記憶したＩＣカードを発行し、各利用者に提供する。
【００１９】
そして、利用者が予約を行う場合には、利用者がパーソナルコンピューター１０４あるいは携帯端末１０６を利用してサーバー１０８に設けられた予約サイトにアクセスし、車両１１０の予約状況を確認し、利用者の要望にあった車両１１０の予約を行う。
【００２０】
その後、予約した利用開始時間になると、携帯電話網を利用して予約情報がサーバー１０８から車載器１１２に送られて、カードリーダー１１４が起動される。
【００２１】
一方、利用者は、予約した利用開始時間に車両１１０が駐車された駐車場まで行き、カードリーダー１１４に会員登録時に取得したＩＣカードを読み取らせて認証を受ける。これにより、車両１１０では、ドアのロックが解除されるとともに、キーボックス１１６からキーが取り出せる状態となり、利用者による利用が可能な状態となる。
【００２２】
そして、利用者は、予約した利用終了時間まで車両１１０を利用することが可能であるが、利用者は、予約した利用終了時間までに車両１１０の返却を完了しなければならない。
【００２３】
即ち、利用者は、予約した利用終了時間までに、車両１１０を決められた駐車場に駐車させて、キーをキーボックス１１６に返却するとともに全てのドアを閉め、カードリーダー１１４にＩＣカードを読み取らせて認証を受けて、車両１１０の返却を完了しなければならない。
【００２４】
こうして、車両１１０の返却が完了することにより、利用者による車両１１０の利用が終了することとなる。
【００２５】
その後、車載器１１２において走行距離、利用時間ならびに車両１１０の状態などが確認され、確認された利用時間に応じた時間料金に、走行距離に応じた距離料金を加算して、車両１１０の利用により生じる料金を算出し、算出した料金を利用者のパーソナルコンピューター１０４もしくは携帯端末１０６に通知する。
【００２６】
なお、事業者は、こうした利用者による利用状況をパーソナルコンピューター１０２で確認することができ、さらに、パーソナルコンピューター１０２において、システム上のトラブルについても確認することができる。
【００２７】
ここで、こうした従来の技術によるカーシェアリングシステム１００においては、車両１１０を事前に予約しなければならず、例えば、車両１１０が駐車する駐車場にいる利用者が、当該車両１１０を今すぐ利用したい場合であっても、携帯端末１０６などを介して、利用する車両１１０の予約の手続を予約サイトにおいて行わなければならなかった。
【００２８】
即ち、車両１１０が駐車された駐車場にいる利用者が、車両１１０を直ちに利用したい場合には、携帯端末１０６から予約サイトにアクセスし、事業者から取得したＩＤやパスワードを入力して予約サイトにログインした後、予約サイトに表示された表示内容を利用者が検討して、車両１１０の予約を行うものであった。
【００２９】
なお、以下の説明においては、「携帯端末１０６などを介して、利用する車両１１０を予約すること」を、「事前予約」と称することとする。
【００３０】
しかしながら、こうした事前予約は、例えば、ＩＤやパスワードを入力したり、予約サイトに表示された表示内容を利用者が検討しなければならず、直ちに車両１１０を利用したい利用者にとっては、極めて煩わしい作業となっていた。
【００３１】
このため、容易に、車両１１０を直ちに利用可能な予約（以下、「利用する車両１１０を直ちに利用可能な予約」を、「即時利用予約」と称する。）を行うことができ、利用者が直ちに車両１１０を利用することができるようにした車両予約システムの提案が望まれていた。
【００３２】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００３３】
本発明は、従来の技術の有する上記したような要望に鑑みてなされたものであり、その目的とするところは、容易に、即時利用予約を行うことができる車両予約システム、車両予約方法、プログラムおよびコンピューター読み取り可能な記録媒体を提供しようとするものである。
【課題を解決するための手段】
【００３４】
上記目的を達成するために、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する第１の検知手段と、上記第１の検知手段により検知対象が検知されると、上記車両を利用する利用者への認証を行う認証手段と、上記認証手段により認証されると、上記所定の時点から、検知対象を検知した上記第１の検知手段に対応した時間だけ、上記車両を利用するための予約を行う予約手段とを有するようにしたものである。
【００３５】
また、本発明による車両予約システムは、上記した車両予約システムにおいて、さらに、上記予約手段により予約された時間は、上記車両を予約することができない状態とする予約管理手段とを有するようにしたものである。
【００３６】
また、本発明による車両予約システムは、上記した車両予約システムにおいて、さらに、上記予約手段により予約された時間に所定の時間を加えた時間だけ、上記車両を予約することができない状態とする予約管理手段とを有するようにしたものである。
【００３７】
また、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する第１の検知手段と、上記第１の検知手段により検知対象が検知されると、上記所定の時点から、検知対象を検知した上記第１の検知手段に対応した時間だけ、上記車両の予約を不可能な状態とする仮予約を行う予約手段とを有するようにしたものである。
【００３８】
また、本発明による車両予約システムは、上記した車両予約システムにおいて、さらに、上記予約手段により仮予約がなされると、上記車両を利用する利用者への認証を行う認証手段とを有し、上記予約手段は、上記認証手段により認証されると、なされた仮予約に基づいて上記車両を利用するための予約を行うようにしたものである。
【００３９】
また、本発明による車両予約システムは、上記した車両予約システムにおいて、上記所定の時間は、上記車両の予約状況を確認した時点であるようにしたものである。
【００４０】
また、本発明による車両予約システムは、上記した車両予約システムにおいて、さらに、接触または非接触で上記車両の外部からの検知対象を検知する第２の検知手段とを有し、上記算出手段は、上記第２の検知手段により検知対象が検知されると、上記車両の予約状況を確認し、所定の時点から連続して上記車両を利用することが可能な時間を算出するようにしたものである。
【００４１】
また、本発明による車両予約システムは、上記した車両予約システムにおいて、上記第１の検知手段が一定時間内に連続して検知対象を検知すると、上記算出手段で、上記車両の予約状況を確認し、所定の時点から連続して上記車両を利用することが可能な時間を算出するようにしたものである。
【００４２】
また、本発明による車両予約方法は、時間を表示する表示手段と、上記表示手段に表示された時間に対応して配設され、接触または非接触で車両の外部からの検知対象を検知する第１の検知手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記第１の検知手段により検知対象が検知されると、上記車両を利用する利用者への認証を行う認証工程と、上記認証工程で認証されると、上記所定の時点から、検知対象を検知した上記第１の検知手段に対応した時間だけ、上記車両を利用するための予約を行う予約工程とを上記車両予約システムが実行するようにしたものである。
【００４３】
また、本発明による車両予約方法は、上記した車両予約方法において、さらに、上記予約工程で予約された時間は、上記車両を予約することができない状態とする予約管理工程とを上記車両予約システムが実行するようにしたものである。
【００４４】
また、本発明による車両予約方法は、上記した車両予約方法において、さらに、上記予約工程で予約された時間に所定の時間を加えた時間だけ、上記車両を予約することができない状態とする予約管理工程とを有するようにしたものである。
【００４５】
また、本発明による車両予約方法は、時間を表示する表示手段と、上記表示手段に表示された時間に対応して配設され、接触または非接触で車両の外部からの検知対象を検知する第１の検知手段とを有する車両予約システムによって、複数の利用者により共用される車両の予約を行う予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記第１の検出手段により検知対象が検知されると、上記所定の時点から、検知対象を検知した上記第１の検出手段に対応した時間だけ、上記車両の予約を不可能な状態とする仮予約を行う予約工程とを上記車両予約システムが実行するようにしたものである。また、本発明による車両予約方法は、上記した車両予約方法において、さらに、上記予約工程で仮予約がなされると、上記車両を利用する利用者への認証を行う認証工程とを上記車両予約システムが実行し、上記予約工程では、上記認証工程で認証されると、なされた仮予約に基づいて上記車両を利用するための予約を行うようにしたものである。
【００４６】
また、本発明による車両予約方法は、上記した車両予約方法において、上記所定の時間は、上記車両の予約状況を確認した時点であるようにしたものである。
【００４７】
また、本発明による車両予約方法は、上記した車両予約方法において、さらに、上記車両予約システムは、接触または非接触で上記車両の外部からの検知対象を検知する第２の検知手段を備え、上記算出工程では、上記第２の検知手段により検知対象が検知されると、上記車両の予約状況を確認し、所定の時点から連続して上記車両を利用することが可能な時間を算出するようにしたものである。
【００４８】
また、本発明による車両予約方法は、上記した車両予約方法において、上記算出工程では、上記第１の検知手段が一定の時間内に連続して検知対象を検知すると、上記車両の予約状況を確認し、所定の時点から連続して上記車両を利用することが可能な時間を算出するようにしたものである。
【００４９】
また、本発明によるプログラムは、上記した車両予約システムとしてコンピューターを機能させるようにしたものである。
【００５０】
また、本発明によるプログラムは、上記した車両予約方法をコンピューターに実行させるようにしたものである。
【００５１】
また、本発明によるコンピューター読み取り可能な記録媒体は、上記したプログラムを記録するようにしたものである。
【発明の効果】
【００５２】
本発明は、以上説明したように構成されているので、容易に、即時利用予約を行うことができるという優れた効果を奏するものである。
【図面の簡単な説明】
【００５３】
【図１】図１は、従来の技術によるカーシェアリングシステムの概要を示すブロック構成説明図である。
【図２】図２は、本発明による車両予約システムを備えたカーシェアリングシステムの概要を示すブロック構成説明図である。
【図３】図３は、即時利用予約装置の概略構成説明図である。
【図４】図４は、本発明による車両予約システムを備えたカーシェアリングシステムの利用手順を示すフローチャートである。
【図５】図５は、即時利用予約処理の処理ルーチンを示すフローチャートである。
【図６】図６は、即時利用予約処理における第１の予約処理の処理ルーチンを示すフローチャートである。
【図７】図７は、即時利用予約処理における第２の予約処理の処理ルーチンを示すフローチャートである。
【図８】図８は、即時利用予約処理における第３の予約処理の処理ルーチンを示すフローチャートである。
【図９】図９は、即時利用予約処理における第４の予約処理の処理ルーチンを示すフローチャートである。
【図１０】図１０は、車両利用前の認証処理の処理ルーチンを示すフローチャートである。
【図１１】図１１は、車両利用後の認証処理の処理ルーチンを示すフローチャートである。
【図１２】図１２は、第１の認証処理の処理ルーチンを示すフローチャートである。
【図１３】図１３は、第２の認証処理の処理ルーチンを示すフローチャートである。
【図１４】図１４は、第３の認証処理の処理ルーチンを示すフローチャートである。
【図１５】図１５は、第４の認証処理の処理ルーチンを示すフローチャートである。
【図１６】図１６は、第５の認証処理の処理ルーチンを示すフローチャートである。
【図１７】図１７は、第６の認証処理の処理ルーチンを示すフローチャートである。
【発明を実施するための形態】
【００５４】
以下、添付の図面を参照しながら、本発明による車両予約システム、車両予約方法、プログラムおよびコンピューター読み取り可能な記録媒体の実施の形態の一例を詳細に説明するものとする。
【００５５】
なお、以下の説明においては、図１を参照しながら説明した従来の技術によるカーシェアリングシステムと同一または相当する構成については、上記において用いた符号と同一の符号を用いて示すことにより、その詳細な構成ならびに作用の説明は適宜に省略することとする。
【００５６】
ここで、図２には、本発明による車両予約システムを備えたカーシェアリングシステムの概要を示すブロック構成説明図が示されている。
【００５７】
この図２に示す本発明による車両予約システムを備えたカーシェアリングシステム１０は、カーシェアリングシステム１０の事業者のパーソナルコンピューター１０２と接続されるとともに事業者の会員となった利用者のパーソナルコンピューター１０４や当該利用者の携帯端末１０６とネットワークなどを介して接続されるサーバー１０８と、車両１１０に設けられるとともにサーバー１０８と携帯電話網を利用して接続される車載器１２と、車載器１２と接続され、利用者により翳されたＩＣカードに記憶された情報を読み込むカードリーダー１１４と、車両１１０内に配設されるとともに車載器１２と接続され、車両１１０のキーが収納されたキーボックス１１６と、車載器１２と接続され、人の指を検知する近接センサ１４が設けられた即時利用予約装置１６とを有して構成されている。
【００５８】
より詳細には、車載器１２は、車両１１０に備えられた装置や機能に対する監視や当該監視に基づく制御を行うものである。
【００５９】
そして、車載器１２は、ＧＰＳ衛星１８と通信するＧＰＳモジュール１２ａと、携帯電話網と接続する通信モジュール１２ｂと、ＧＰＳモジュール１２ａ、通信モジュール１２ｂ、監視装置１２ｅ（後述する。）およびカードリーダー１１４からの各種情報を処理するとともに、カードリーダー１１４、キーボックス１１６、即時利用予約装置１６ならびに車載器１２の全体の動きを制御するメインコントローラー１２ｃと、メインコントローラー１２ｃからの情報により車両１１０に設けられたエンジンスタータ１１０ａおよびドアロックアンロックシステム１１０ｂを操作する操作部１２ｄと、車両１１０に設けられたドアスイッチ１１０ｃ、イグニッション１１０ｄ、バッテリー電圧検出器１１０ｅ、燃料残量検出器１１０ｆ、車速検出器１１０ｇおよび即時利用予約装置１６の近接センサ１４を監視する監視部１２ｅと、メインコントローラー１２ｃからの情報によりキーボックス１１６に設けられたスピーカー（図示せず。）から音声ガイダンスなどを出力する音声モジュール１２ｆとを有して構成されている。
【００６０】
ＧＰＳモジュール１２ａは、アンテナ１２ａａを備えており、このアンテナ１２ａａを介してＧＰＳ衛星１８からのＧＰＳ信号を取得し、取得したＧＰＳ信号をメインコントローラー１２ｃに出力する。これにより、メインコントローラー１２ｃにおいて、取得したＧＰＳ信号に基づいて車両１１０の位置情報を取得することとなる。
【００６１】
また、通信モジュール１２ｂは、アンテナ１２ｂａを備えており、このアンテナ１２ｂａを介してメインコントローラー１２ｃにおける各種情報を携帯電話網を利用してサーバー１０８に出力するとともに、サーバー１０８から携帯電話網を利用して出力された各種情報をメインコントローラー１２ｃに入力する。
【００６２】
メインコントローラー１２ｃは、ＧＰＳ衛星、サーバー１０８、カードリーダー１１４、監視部１２ｅからの各種情報が入力され、入力した情報を記憶するとともに、サーバー１０８に対して各種情報を出力する。
【００６３】
また、メインコントローラー１２ｃは、操作部１２ｄ、監視部１２ｅ、音声モジュール１２ｆ、カードリーダー１１４、キーボックス１１６および即時利用予約装置１６といった構成要素に対してそれらを制御する出力を行う。
【００６４】
操作部１２ｄは、監視部１２ｅにおけるイグニッション１１０ｄの監視結果などに基づいて、認証処理なしにドアを開けてエンジンを掛けようとしてキーが使用されたと判断された場合に、メインコントローラー１２ｃの制御によりエンジンスタータ１１０ａを駆動しないように制御することで、エンジンが起動しないようにする。
【００６５】
また、操作部１２ｄは、メインコントローラー１２ｃから認証処理による認証が完了したとの情報が入力されると、ドアロックアンロックシステム１１０ｂを制御して、車両１１０のドアのロックならびロックの解除を行う。
【００６６】
監視部１２ｅは、ドアスイッチ１１０ｃから開閉信号を取得することにより、ドアの開閉状態の監視を行い、イグニッション１１０ｄからＩＧ信号を取得することにより、エンジンが起動して車両１１０が動作状態であるか否かの監視を行う。
【００６７】
また、監視部１２ｅは、燃料残量検出器１１０ｆから燃料の残量信号を取得することにより、車両１１０の燃料の残量の監視を行い、車速検出器１１０ｇから車速信号を取得することにより、車両１１０の走行距離の監視を行う。
【００６８】
さらに、監視部１２ｅは、キーボックス１１６から所定の情報を検出することにより、キーの有無などの監視を行い、近接センサ１４から所定の信号を検出することにより、近接センサ１４が選択されたか否かを監視する。
【００６９】
なお、キーボックス１１６から取得する所定の情報とは、例えば、キーボックス１１６内の重さにより判断した情報であってもよいし、キーボックス１１６内に設けられたキー収納部分にキーが収納されたか否かの情報であってもよい。
【００７０】
また、近接センサ１４から取得する所定の信号とは、近接センサ１４の種類に応じるものであり、近接センサ１４として、静電容量方式のものを採用すると、静電容量の変化を表す信号となる。
【００７１】
そして、監視部１２ｅは、各構成部材における監視結果をメインコントローラー１２ｃに出力する。
【００７２】
また、音声モジュール１２ｆは、キーボックス１１６に設けられたスピーカー（図示せず。）に接続され、メインコントローラー１２ｃの制御により、当該スピーカーから音声ガイダンスを流すこととなる。
【００７３】
カードリーダー１１４は、メインコントローラー１２ｃによりその起動が制御され、車両１１０内に配置される。
【００７４】
また、カードリーダー１１４は、車両１１０の外から利用者がＩＣカードを翳すことにより、当該ＩＣカードに記憶された認証用コードを読み取ることが可能な位置に配置される。
【００７５】
そして、カードリーダー１１４は、読み取り部（図示せず。）にＩＣカードが翳されると、ＩＣカードから認証用コードを読み取り、読み取った認証用コードをメインコントローラー１２ｃに出力する。
【００７６】
さらに、カードリーダー１１４には、ＬＥＤランプ（図示せず。）が設けられており、メインコントローラー１２ｃの制御により、このＬＥＤランプの点灯パターンを変更して利用者に対してカードリーダー１１４にＩＣカードを翳すなどの作業を促す。
【００７７】
キーボックス１１６は、認証処理が完了した後に、メインコントローラー１２ｃによって、キーの取り出しを可能または不可能な状態に制御される。
【００７８】
そして、キーボックス１１６では、メインコントローラー１２ｃによる制御により、適宜に、音声モジュール１２ｆを介してスピーカー（図示せず。）から音声ガイダンスが流される。
【００７９】
即時利用予約装置１６は、車両１１０内に配設され、人の指などの検知対象が近づけられると、検出対象を検知する近接センサ１４を備えている。
【００８０】
そして、即時利用予約装置１６は、車両１１０内において、車両１１０の外から利用者が視認することが可能な位置であって、かつ、車両１１０の外から利用者が近接センサ１４に指を近づけると、近接センサ１４が選択されたことを検知することが可能な位置に配置される。
【００８１】
なお、車両１１０の外から利用者が視認することが可能な位置とは、車両１１０の外から、車両１１０の窓などを介して、近接センサ１４、ＬＥＤランプ２０−１、２０−２、２０−３（後述する。）およびＬＥＤランプ２０−１、２０−２、２０−３の近傍に記載された文字（後述する。）が利用者に視認することができることを意味する。
【００８２】
この近接センサ１４は、即時利用予約装置１６を起動するための近接センサ１４−１と、車両１１０を３０分利用することを選択する近接センサ１４−２と、車両１１０を３時間利用することを選択する近接センサ１４−３と、車両１１０を１２時間利用することを選択する近接センサ１４−４とにより構成されている（図３を参照する。）。
【００８３】
また、近接センサ１４−２の近傍（図３では右方側）には、緑色および赤色で点灯することが可能なＬＥＤランプ２０−１（「ＬＥＤ２０−１」と適宜に称する。）が配設されるとともに、ＬＥＤランプ２０−１の近傍（図３では右方側）には、「３０分」の文字が記載されている。なお、近接センサ１４−２とＬＥＤランプ２０−１とは、メインコントローラー１２ｃにおいて対応付けられている。
【００８４】
さらに、近接センサ１４−３の近傍（図３では右方側）には、緑色および赤色で点灯することが可能なＬＥＤランプ２０−２（「ＬＥＤ２０−２」と適宜に称する。）が配設されるとともに、ＬＥＤランプ２０−２の近傍（図３では右方側）には、「３時間」の文字が記載されている。なお、近接センサ１４−３とＬＥＤ２０−２とは、メインコントローラー１２ｃにおいて対応付けられている。
【００８５】
さらにまた、近接センサ１４−４の近傍（図３では右方側）には、緑色および赤色で点灯することが可能なＬＥＤランプ２０−３（「ＬＥＤ２０−３」と適宜に称する。）が配設されるとともに、ＬＥＤランプ２０−３の近傍（図３では右方側）には、「１２時間」の文字が記載されている。なお、近接センサ１４−４とＬＥＤランプ２０−３とは、メインコントローラー１２ｃにおいて対応付けられている。
【００８６】
このＬＥＤ２０−１は、緑色で点灯することにより、近接センサ１４−２が選択可能であることを示し、赤色で点灯することにより、近接センサ１４−２が選択不可能であることを示す。
【００８７】
そして、即時利用予約装置１６においては、ＬＥＤ２０−１が緑色で点灯する場合には、車両１１０を今から３０分間利用することができることを示し、ＬＥＤ２０−１が赤色で点灯する場合には、車両１１０を３０分間すら利用できないことを示すものである。
【００８８】
また、ＬＥＤ２０−２は、緑色で点灯することにより、近接センサ１４−３が選択可能であることを示し、赤色で点灯することにより、近接センサ１４−３が選択不可能であることを示す。
【００８９】
そして、即時利用予約装置１６においては、ＬＥＤ２０−２が緑色で点灯する場合には、車両１１０を今から３時間利用することが可能であることを示し、ＬＥＤ２０−２が赤色で点灯する場合には、車両１１０を３時間使用することができないことを示すものである。
【００９０】
さらに、ＬＥＤ２０−３は、緑色で点灯することにより、近接センサ１４−４が選択可能であることを示し、赤色で点灯することにより、近接センサ１４−４が選択不可能であることを示す。
【００９１】
そして、即時利用予約装置１６においては、ＬＥＤ２０−３が緑色で点灯する場合には、車両１１０を今から１２時間利用することができることを示し、ＬＥＤ２０−３が赤色で点灯する場合には、車両１１０を１２時間使用することができないことを示すものである。
【００９２】
従って、即時利用予約装置１６において、ＬＥＤ２０−１、２０−２、２０−３の全てが赤色で点灯している場合には、利用者は、近接センサ１４−２、１４−３、１４−４を選択することができず、車両１１０を今から利用することができないことを認識することができる。
【００９３】
また、即時利用予約装置１６において、ＬＥＤ２０−１のみが緑色で点灯し、ＬＥＤ２０−２、２０−３が赤色で点灯している場合には、利用者は、近接センサ１４−２のみ選択可能であり、車両１１０が今から３０分間だけ利用可能であることを認識することができる。
【００９４】
さらに、即時利用予約装置１６において、ＬＥＤ２０−１、２０−２が緑色で点灯し、ＬＥＤ２０−３のみが赤色で点灯している場合には、利用者は、近接センサ１４−２、１４−３を選択可能であり、車両１１０が今から最大３時間利用することができ、車両１１０の利用時間を３０分または３時間から選択することができることを認識することができる。
【００９５】
さらにまた、即時利用予約装置１６において、ＬＥＤ２０−１、２０−２、２０−３の全てが緑色で点灯している場合には、利用者は、近接センサ１４−２、１４−３、１４−４を選択することが可能であり、車両１１０を今から最大１２時間利用することができ、車両１１０の利用時間を３０分、３時間あるいは１２時間から選択することができることを認識することができる。
【００９６】
そして、近接センサ１４−１が選択されると、近接センサ１４−１が選択されたことが監視部１２ｅによって監視され、この監視結果に基づいて、メインコントローラー１２ｃにおいては、車両１１０において即時利用予約がなされるとの情報を携帯電話網を介してサーバー１０８に出力するとともに、即時利用予約装置１６を起動する。
【００９７】
そして、サーバー１０８において、車両１１０の予約状況を確認し、確認した予約状況から、車両１１０の利用可能な時間を算出する。
【００９８】
即ち、サーバー１０８では、車両１１０の予約状況を確認し、車両１１０が今から３０分間利用することができるか、車両１１０が今から３時間利用することができるか、車両１１０が今から１２時間利用することができるのかを判断し、判断した判断結果をサーバー１０８から携帯電話網を利用してメインコントローラー１２ｃに出力する。
【００９９】
メインコントローラー１２ｃでは、サーバー１０８から出力された判断結果に基づいて、ＬＥＤランプ２０−１、２０−２、２０−３を所定の色で点灯するよう制御して、利用者に対して車両１１０の即時利用が可能な時間を表示する。
【０１００】
なお、メインコントローラー１２ｃでは、選択不可能な近接センサが選択されたときには、当該近接センサに対応するＬＥＤランプが赤色で点滅して、選択できない旨を利用者に示す。
【０１０１】
次に、図４乃至図１７を参照しながら、カーシェアリングシステム１０における車両の利用手順について説明する。
【０１０２】
まず、カーシェアリングシステム１０を利用するに際して、利用者が事業者に対して会員登録を申請すると、事業者は、利用者固有の登録コードを作成し、当該登録コードを利用者に配布するとともに、サーバー１０８内に設けられた記憶手段（図示せず。）に記憶する。
【０１０３】
さらに、上記した登録コードと同じ認証用コードが記憶されたＩＣカードと、利用者がサーバー１０８に設けられた予約サイトにアクセスする際に必要となるＩＤおよびパスワードとが利用者に対して配布される。
【０１０４】
そして、事業者への会員登録を完了した利用者は、事業者が管理する車両１１０を利用しようとする場合には、まず、利用する車両１１０を予約する（ステップＳ４０２）。
【０１０５】
なお、本発明による車両予約システムを備えたカーシェアリングシステム１０においては、車両１１０を携帯端末１０６やパーソナルコンピューター１０４により予約する事前予約処理と、車両１１０を即時利用予約装置１６により予約する即時利用予約処理とを行うことができる。
【０１０６】
即ち、事前予約処理は、パーソナルコンピューター１０４や携帯端末１０６を介して、利用する車両１１０の予約を行うものである。
【０１０７】
なお、こうした事前予約処理は、従来より公知の技術を用いることができるものであるので、その詳細な説明は省略するが、例えば、パーソナルコンピューター１０４または携帯端末１０６を利用してサーバー１０８に設けられた予約サイトにアクセスして会員登録時に取得したＩＤおよびパスワードを入力して予約サイトにログインし、ログインした予約サイトにおいて車両１１０の状態や車両１１０の予約状況といった情報を閲覧し、利用者の要望にあった車両１１０の予約を行うものである。
【０１０８】
また、即時利用予約処理は、車両１１０に設けられた即時利用予約装置１６を利用して、車両１１０の予約を行うものである。
【０１０９】
以下、即時利用予約処理について、図５を参照しながら、詳細に説明する。図５には、即時利用予約処理の詳細な処理内容を示すフローチャートが示されている。
【０１１０】
この即時利用予約処理は、即時利用予約装置１６において、利用者により近接センサ１４−１が選択される（つまり、利用者が近接センサ１４−１に指を近づけることである。）と、開始されることとなる。
【０１１１】
即時利用予約処理が開始されると、まず、メインコントローラー１２ｃから車両情報をサーバー１０８に出力する（ステップＳ５０２）。
【０１１２】
即ち、このステップＳ５０２の処理では、即時利用予約装置１６が起動した車両１１０を特定することが可能な車両情報を、メインコントローラー１２ｃから携帯電話網を利用してサーバー１０８に出力する。
【０１１３】
次に、サーバー１０８において、メインコントローラー１２ｃから出力された車両情報から特定される車両１１０の予約状況を確認する（ステップＳ５０４）。
【０１１４】
即ち、ステップＳ５０４の処理では、メインコントローラー１２ｃから出力された車両情報により管理されている車両１１０の予約サイトにおける予約状況を確認する。
【０１１５】
その後、確認した車両１１０の予約状況に基づいて、現時点から車両１１０を利用することが可能な時間を算出する（ステップＳ５０６）。
【０１１６】
即ち、ステップＳ５０６の処理では、確認した車両１１０の予約状況から、車両１１０の予約状況を確認した時点（以下、「車両１１０の予約状況を確認した時点」を、「即時利用予約開始時点」と称する。）から、連続して車両１１０を利用可能な時間を算出する。
【０１１７】
具体的には、サーバー１０８において、車両１１０の予約状況から、即時利用予約開始時点から次の予約までの時間を算出する。なお、算出する時間単位については、予約サイトにおける車両１１０の予約可能な時間単位であり、例えば、１５分単位で算出される。
【０１１８】
具体的には、１６時４６分を即時利用予約開始時点とすると、予約可能な時間単位は、１５分なので、１６時４６分から１７時までの時間は無視され、１７時から１５分単位で、次の予約までの時間が計算されることとなる。
【０１１９】
そして、ステップＳ５０６の処理で算出した、車両１１０を利用可能な時間を、サーバー１０８から携帯電話網を介してメインコントローラー１２ｃに出力する（ステップＳ５０８）。
【０１２０】
次に、車両１１０を利用可能な時間が出力されたメインコントローラー１２ｃにおいて、サーバー１０８から出力された車両１１０を利用可能な時間が、３０分間以上であるか否かの判断を行う（ステップＳ５１０）。
【０１２１】
このステップＳ５１０の判断処理において、車両１１０を利用可能な時間が、３０分間以上でないと判断されると、第１の予約処理が開始される（ステップＳ５１２）。
【０１２２】
ここで、図６のフローチャートには、このステップＳ５１２の処理における第１の予約処理の詳細な処理内容が示されており、この第１の予約処理においては、まず、メインコントローラー１２ｃの制御により、ＬＥＤランプ２０−１、２０−２、２０−３を赤色で点灯する（ステップＳ６０２）。
【０１２３】
その後、近接センサ１４−２が選択されたか否かの判断を行う（ステップＳ６０４）。
【０１２４】
即ち、ステップＳ６０４の判断処理においては、監視部１２ｅの監視に基づいてメインコントローラー１２ｃにより、近接センサ１４−２から所定の信号（例えば、静電容量の変化を表す信号）を取得したか否かを判断するものであり、近接センサ１４−２から所定の信号を取得した場合には、近接センサ１４−２が選択されたと判断され、近接センサ１４−２から所定の信号を取得したかった場合には、近接センサ１４−２が選択されなかったと判断される。
【０１２５】
このステップＳ６０４の判断処理において、近接センサ１４−２が選択されたと判断されると、近接センサ１４−２は選択不可能であるため、メインコントローラー１２ｃの制御により、ＬＥＤランプ２０−１を赤色で点滅させ（ステップＳ６０６）、後述するステップＳ５１８の処理に進む。
【０１２６】
また、ステップＳ６０４の判断処理において、近接センサ１４−２が選択されなかったと判断されると、近接センサ１４−３が選択されたか否かの判断を行う（ステップＳ６０８）。
【０１２７】
即ち、ステップＳ６０８の判断処理においては、監視部１２ｅの監視により、近接センサ１４−３から所定の信号（例えば、静電容量の変化を表す信号）を取得したか否かを判断するものであり、近接センサ１４−３から所定の信号を取得した場合には、近接センサ１４−３が選択されたと判断され、近接センサ１４−２から所定の信号を取得しなかった場合には、近接センサ１４−３が選択されなかったと判断される。
【０１２８】
このステップＳ６０８の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ６１０）、後述するステップＳ６１２の処理に進む。
【０１２９】
また、ステップＳ６０８の判断処理において、近接センサ１４−３が選択されなかったと判断されると、近接センサ１４−４が選択されたか否かの判断を行う（ステップＳ６１２）。
【０１３０】
即ち、ステップＳ６１２の判断処理においては、監視部１２ｅの監視により、近接センサ１４−４から所定の信号（例えば、静電容量の変化を表す信号）を取得したか否かを判断するものであり、近接センサ１４−４から所定の信号を取得した場合には、近接センサ１４−４が選択されたと判断され、近接センサ１４−４から所定の信号を取得したかった場合には、近接センサ１４−４が選択されなかったと判断される。
【０１３１】
このステップＳ６１２の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ６１４）、後述するステップＳ６１６の処理に進む。
【０１３２】
また、ステップＳ６１２の判断処理において、近接センサ１４−４が選択されなかったと判断されると、近接センサ１４−１が選択されたか否かの判断を行う（ステップＳ６１６）。
【０１３３】
即ち、ステップＳ６１６の判断処理においては、監視部１２ｅの監視により、近接センサ１４−１から所定の信号（例えば、静電容量の変化を表す信号）を取得したか否かを判断するものであり、近接センサ１４−１から所定の信号を取得した場合には、近接センサ１４−１が選択されたと判断され、近接センサ１４−１から所定の信号を取得しなかった場合には、近接センサ１４−１が選択されなかったと判断される。
【０１３４】
このステップＳ６１６の判断処理において、近接センサ１４−１が選択されたと判断されると、メインコントローラー１２ｃの制御により、即時利用予約装置１６を停止し（ステップＳ６２０）、第１の予約処理を終了することにより即時利用予約処理を終了する。
【０１３５】
また、ステップＳ６１６の判断処理において、近接センサ１４−１が選択されなかったと判断されると、ステップＳ６０２の処理から所定の時間（例えば、５分間）が経過したか否かの判断を行う（ステップＳ６１８）。
【０１３６】
即ち、このステップＳ６１８の判断処理においては、ＬＥＤランプ２０−１、２０−２、２０−３を赤色で点灯した時点からカウントされた時間が、所定の時間に達したか否かの判断を行うものである。
【０１３７】
このステップＳ６１８の判断処理において、所定の時間が経過したと判断されると、ステップＳ６２０の処理に進み、即時利用予約装置１６を停止して、第１の予約処理を終了することにより即時利用予約処理を終了する。
【０１３８】
また、ステップＳ６１８の判断処理において、所定の時間が経過していないと判断されると、ステップＳ６０４の判断処理に戻って、ステップＳ６０４以降の処理を行う。
【０１３９】
即ち、この第１の予約処理においては、ステップＳ６０２の処理によりＬＥＤランプ２０−１、２０−２、２０−３を赤色で点灯した後には、近接センサ１４−１が利用者により選択されない限り、所定の時間が経過するまでステップＳ６０４〜ステップＳ６１８の処理を繰り返すこととなる。
【０１４０】
一方、ステップＳ５１０の判断処理において、車両１１０の利用可能な時間が、３０分以上であると判断されると、車両１１０の利用可能な時間が、３時間以上であるか否かの判断を行う（ステップＳ５１４）。
【０１４１】
このステップＳ５１４の判断処理において、車両１１０を利用可能な時間が、３時間以上でないと判断されると、第２の予約処理が開始される（ステップＳ５１６）。
【０１４２】
ここで、図７のフローチャートには、このステップＳ５１６の処理における第２の予約処理の詳細な処理内容が示されており、この第２の予約処理においては、まず、メインコントローラー１２ｃの制御により、ＬＥＤランプ２０−１を緑色で点灯するとともに、ＬＥＤランプ２０−２、２０−３を赤色で点灯する（ステップＳ７０２）。
【０１４３】
その後、近接センサ１４−２が選択されたか否かの判断を行う（ステップＳ７０４）。
【０１４４】
なお、ステップＳ７０４の判断処理では、上記したステップＳ６０４の判断処理と同様にして、近接センサ１４−２が選択されたか否かの判断がなされる。
【０１４５】
このステップＳ７０４の判断処理において、近接センサ１４−２が選択されたと判断されると、３０分間だけ車両１１０の即時利用の予約がなされたと判断され、ステップＳ７０６の処理に進み、第１の認証処理を開始する。
【０１４６】
ここで、図１２のフローチャートには、このステップＳ７０６の処理における第１の認証処理の詳細な処理内容が示されており、この第１認証処理においては、まず、メインコントローラー１２ｃの制御により、カードリーダー１１４を起動する（ステップＳ１２０２）。
【０１４７】
なお、このステップＳ１２０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１４８】
そして、カードリーダー１１４の読み取り部（図示せず。）に翳されたＩＣカードから、認証用コードを読み取る（ステップＳ１２０４）。
【０１４９】
その後、読み取った認証用コードおよびステップＳ７０４の処理においてなされた判断結果（つまり、車両１１０の３０分間の予約がなされたとの判断結果である。）をメインコントローラー１２ｃから携帯電話網を介してサーバー１０８に出力し（ステップＳ１２０６）、サーバー１０８において、当該認証用コードとサーバー１０８に予め記憶されている利用者の登録コードとが一致するか否かの判断を行う（ステップＳ１２０８）。
【０１５０】
即ち、このステップＳ１２０８の判断処理においては、サーバー１０８に記憶されている登録コードに、認証用コードと一致する登録コードがあるか否かを判断するものである。
【０１５１】
ステップＳ１２０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１２１０）。
【０１５２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１２１２）、ステップＳ１２０４の処理に戻り、ステップＳ１２０４以降の処理を行う。
【０１５３】
一方、ステップＳ１２０８の判断処理において、認証用コードと、利用者の登録コードとが一致する、つまり、サーバー１０８に記憶されている登録コードに、認証用コードと一致する登録コードがあると判断されると、ステップＳ７０８の処理に進む。
【０１５４】
このステップＳ７０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０１５５】
即ち、サーバー１０８において、車両１１０の利用時間の管理などを行う予約情報において、即時利用予約開始時点から３０分間だけ車両１１０を第１の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０１５６】
例えば、ステップＳ７０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０１５７】
また、ステップＳ７０８の処理においては、メインコントローラー１２ｃの制御により、車両１１０のセキュリティを解除した状態とするとともに、カードリーダー１１４の電源を切る。
【０１５８】
なお、車両１１０のセキュリティを解除した状態とは、具体的には、車両１１０のドアロックを解除するとともに、キーボックス１１６からキーを取り出すことができる状態である。
【０１５９】
その後、即時利用予約装置１６を停止して（ステップＳ７１０）、第２の予約処理を終了することにより即時利用予約処理を終了する。
【０１６０】
また、ステップＳ７０４の判断処理において、近接センサ１４−２が選択されなかったと判断されると、近接センサ１４−３が選択されたか否かの判断を行う（ステップＳ７１２）。
【０１６１】
なお、ステップＳ７１２の判断処理では、上記したステップＳ６０８の判断処理と同様にして、近接センサ１４−３が選択されたか否かの判断がなされる。
【０１６２】
このステップＳ７１２の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ７１４）、後述するステップＳ７１６の処理に進む。
【０１６３】
また、ステップＳ７１２の判断処理において、近接センサ１４−３が選択されなかったと判断されると、近接センサ１４−４が選択されたか否かの判断を行う（ステップＳ７１６）。
【０１６４】
なお、ステップＳ７１６の判断処理では、上記したステップＳ６１２の判断処理と同様にして、近接センサ１４−４が選択されたか否かの判断がなされる。
【０１６５】
このステップＳ７１６の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ７１８）、後述するステップＳ７２０の処理に進む。
【０１６６】
また、ステップＳ７１６の判断処理において、近接センサ１４−４が選択されなかったと判断されると、近接センサ１４−１が選択されたか否かの判断を行う（ステップＳ７２０）。
【０１６７】
なお、ステップＳ７２０の判断処理では、上記したステップＳ６１６の判断処理と同様にして、近接センサ１４−１が選択されたか否かの判断がなされる。
【０１６８】
このステップＳ７２０の判断処理において、近接センサ１４−１が選択されたと判断されると、ステップＳ７１０の処理に進み、メインコントローラー１２ｃの制御により、即時利用予約装置１６を停止して、即時利用予約処理を終了する。
【０１６９】
また、ステップＳ７２０の判断処理において、近接センサ１４−１が選択されなかったと判断されると、ステップＳ７０２の処理から所定の時間（例えば、５分間）が経過したか否かの判断を行う（ステップＳ７２２）。
【０１７０】
即ち、このステップＳ７２２の判断処理においては、ＬＥＤランプ２０−１を緑色、ＬＥＤランプ２０−２、２０−３を赤色で点灯した時点からカウントされた時間が、所定の時間に達したか否かの判断を行うものである。
【０１７１】
このステップＳ７２２の判断処理において、所定の時間が経過したと判断されると、ステップＳ７１０の処理に進み、即時利用予約装置１６を停止して、第２の予約処理を終了することにより即時利用予約処理を終了する。
【０１７２】
また、ステップＳ７２２の判断処理において、所定の時間が経過していないと判断されると、ステップＳ７０４の判断処理に戻って、ステップＳ７０４以降の処理を行う。
【０１７３】
即ち、この第２の予約処理においては、ステップＳ７０２の処理によりＬＥＤランプ２０−１を緑色、ＬＥＤランプ２０−２、２０−３を赤色で点灯した後には、近接センサ１４−１、１４−２が利用者により選択されない限り、所定の時間が経過するまでステップＳ７０４〜ステップＳ７２２の処理を繰り返すこととなる。
【０１７４】
一方、ステップＳ５１４の判断処理において、車両１１０の利用可能な時間が３時間以上であると判断されると、車両１１０の利用可能な時間が、１２時間以上であるか否かの判断を行う（ステップＳ５１８）。
【０１７５】
このステップＳ５１８の判断処理において、車両１１０を利用可能な時間が１２時間以上でないと判断されると、第３の予約処理が開始される（ステップＳ５２０）。
【０１７６】
ここで、図８のフローチャートには、このステップＳ５２０の処理における第３の予約処理の詳細な処理内容が示されており、この第３の予約処理においては、まず、メインコントローラー１２ｃの制御により、ＬＥＤランプ２０−１、２０−２を緑色で点灯するとともに、ＬＥＤランプ２０−３を赤色で点灯する（ステップＳ８０２）。
【０１７７】
その後、近接センサ１４−２が選択されたか否かの判断を行う（ステップＳ８０４）。
【０１７８】
なお、ステップＳ８０４の判断処理では、上記したステップＳ６０４の判断処理と同様にして、近接センサ１４−２が選択されたか否かの判断がなされる。
【０１７９】
このステップＳ８０４の判断処理において、近接センサ１４−２が選択されたと判断されると、３０分間だけ車両１１０の即時利用の予約がなされたと判断され、ステップＳ８０６の処理に進み、第２の認証処理を開始する。
【０１８０】
ここで、図１３のフローチャートには、このステップＳ８０６の処理における第２の認証処理の詳細な処理内容が示されており、この第２の認証処理においては、まず、メインコントローラー１２ｃの制御により、カードリーダー１１４を起動する（ステップＳ１３０２）。
【０１８１】
なお、このステップＳ１３０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１８２】
そして、カードリーダー１１４の読み取り部（図示せず。）に翳されたＩＣカードから、認証用コードを読み取る（ステップＳ１３０４）。
【０１８３】
その後、読み取った認証用コードおよびステップＳ８０４の処理においてなされた判断結果（つまり、車両１１０の３０分間の予約がなされたとの判断結果である。）をメインコントローラー１２ｃから携帯電話網を介してサーバー１０８に出力し（ステップＳ１３０６）、サーバー１０８において、当該認証用コードとサーバー１０８に予め記憶されている利用者の登録コードとが一致するか否かの判断を行う（ステップＳ１３０８）。
【０１８４】
即ち、このステップＳ１３０８の判断処理においては、サーバー１０８に記憶されている登録コードに、認証用コードと一致する登録コードがあるか否かを判断するものである。
【０１８５】
ステップＳ１３０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１３１０）。
【０１８６】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１３１２）、ステップＳ１３０４の処理に戻り、ステップＳ１３０４以降の処理を行う。
【０１８７】
一方、ステップＳ１３０８の判断処理において、認証用コードと、利用者の登録コードとが一致する、つまり、サーバー１０８に記憶されている登録コードに、認証用コードと一致する登録コードがあると判断されると、ステップＳ８０８の処理に進む。
【０１８８】
このステップＳ８０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０１８９】
即ち、サーバー１０８において、車両１１０の利用時間の管理などを行う予約情報において、即時利用予約開始時点から３０分間だけ車両１１０を第２の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０１９０】
例えば、ステップＳ８０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０１９１】
また、ステップＳ８０８の処理においては、メインコントローラー１２ｃの制御により、車両１１０のセキュリティを解除した状態とするとともに、カードリーダー１１４の電源を切る。
【０１９２】
なお、車両１１０のセキュリティを解除した状態とは、具体的には、車両１１０のドアロックを解除するとともに、キーボックス１１６からキーを取り出すことができる状態である。
【０１９３】
その後、即時利用予約装置１６を停止して（ステップＳ８１０）、第３の予約処理を終了することにより即時利用予約処理を終了する。
【０１９４】
また、ステップＳ８０４の判断処理において、近接センサ１４−２が選択されなかったと判断されると、近接センサ１４−３が選択されたか否かの判断を行う（ステップＳ８１２）。
【０１９５】
このステップＳ８１２の判断処理において、近接センサ１４−３が選択されたと判断されると、３時間だけ車両１１０の即時利用の予約がなされたと判断され、ステップＳ８０６の処理に進み、第３の認証処理を開始する。
【０１９６】
ここで、図１４のフローチャートには、このステップＳ８１４の処理における第３の認証処理の詳細な処理内容が示されており、この第３の認証処理においては、まず、メインコントローラー１２ｃの制御により、カードリーダー１１４を起動する（ステップＳ１４０２）。
【０１９７】
なお、このステップＳ１４０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０１９８】
そして、カードリーダー１１４の読み取り部（図示せず。）に翳されたＩＣカードから、認証用コードを読み取る（ステップＳ１４０４）。
【０１９９】
その後、読み取った認証用コードおよびステップＳ８１２の処理においてなされた判断結果（つまり、車両１１０の３時間の予約がなされたとの判断結果である。）をメインコントローラー１２ｃから携帯電話網を介してサーバー１０８に出力し（ステップＳ１４０６）、サーバー１０８において、当該認証用コードとサーバー１０８に予め記憶されている利用者の登録コードとが一致するか否かの判断を行う（ステップＳ１４０８）。
【０２００】
即ち、このステップＳ１４０８の判断処理においては、サーバー１０８に記憶されている登録コードに、認証用コードと一致する登録コードがあるか否かを判断するものである。
【０２０１】
ステップＳ１４０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１４１０）。
【０２０２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１４１２）、ステップＳ１４０４の処理に戻り、ステップＳ１４０４以降の処理を行う。
【０２０３】
一方、ステップＳ１４０８の判断処理において、認証用コードと、利用者の登録コードとが一致する、つまり、サーバー１０８に記憶されている登録コードに、認証用コードと一致する登録コードがあると判断されると、ステップＳ８１６の処理に進む。
【０２０４】
このステップＳ８１６の処理では、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０２０５】
即ち、サーバー１０８において、車両１１０の利用時間の管理などを行う予約情報において、即時利用予約開始時点から３時間だけ車両１１０を第３の認証処理により認証された利用者が利用するための予約を行い、さらに、予約サイトにおいて、当該予約情報を反映するようにして、車両１１０の予約を即時利用予約開始時点から３時間だけ不可能な状態とする。
【０２０６】
例えば、ステップＳ８１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０２０７】
また、ステップＳ８１６の処理においては、メインコントローラー１２ｃの制御により、車両１１０のセキュリティを解除した状態とするとともに、カードリーダー１１４の電源を切る。
【０２０８】
なお、車両１１０のセキュリティを解除した状態とは、具体的には、車両１１０のドアロックを解除するとともに、キーボックス１１６からキーを取り出すことができる状態である。
【０２０９】
その後、ステップＳ８１０の処理に進み、即時利用予約装置１６を停止して、第３の予約処理を終了することにより即時利用予約処理を終了する。
【０２１０】
また、ステップＳ８１２の判断処理において、近接センサ１４−３が選択されなかったと判断されると、近接センサ１４−４が選択されたか否かの判断を行う（ステップＳ８１８）。
【０２１１】
なお、ステップＳ８１８の判断処理では、上記したステップＳ６１２の判断処理と同様にして、近接センサ１４−４が選択されたか否かの判断がなされる。
【０２１２】
このステップＳ８１８の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ８２０）、後述するステップＳ８２２の処理に進む。
【０２１３】
また、ステップＳ８１８の判断処理において、近接センサ１４−４が選択されなかったと判断されると、近接センサ１４−１が選択されたか否かの判断を行う（ステップＳ８２２）。
【０２１４】
なお、ステップＳ８２２の判断処理では、上記したステップＳ６１６の判断処理と同様にして、近接センサ１４−１が選択されたか否かの判断がなされる。
【０２１５】
このステップＳ８２２の判断処理において、近接センサ１４−１が選択されたと判断されると、ステップＳ８１０の処理に進み、メインコントローラー１２ｃの制御により、即時利用予約装置１６を停止して、第３の予約処理を終了することにより即時利用予約処理を終了する。
【０２１６】
また、ステップＳ８２２の判断処理において、近接センサ１４−１が選択されなかったと判断されると、ステップＳ８０２の処理から所定の時間（例えば、５分間）が経過したか否かの判断を行う（ステップＳ８２４）。
【０２１７】
即ち、このステップＳ８２４の判断処理においては、ＬＥＤランプ２０−１、２０−２を緑色、ＬＥＤランプ２０−３を赤色で点灯した時点からカウントされた時間が、所定の時間に達したか否かの判断を行うものである。
【０２１８】
このステップＳ８２４の判断処理において、所定の時間が経過したと判断されると、ステップＳ８１０の処理に進み、即時利用予約装置１６を停止して、第３の予約処理を終了することにより即時利用予約処理を終了する。
【０２１９】
また、ステップＳ８２４の判断処理において、所定の時間が経過してないと判断されると、ステップＳ８０４の判断処理に戻って、ステップＳ８０４以降の処理を行う。
【０２２０】
即ち、この第３の予約処理においては、ステップＳ８０２の処理によりＬＥＤ２０−１、２０−２を緑色、ＬＥＤ２０−３を赤色で点灯した後には、近接センサ１４−１、１４−２、１４−３が利用者により選択されない限り、所定の時間が経過するまでステップＳ８０４〜ステップＳ８２４の処理を繰り返すこととなる。
【０２２１】
一方、ステップＳ５１８の判断処理において、車両１１０の利用可能な時間が１２時間以上であると判断されると、第４の予約処理が開始される（ステップＳ５２２）。
【０２２２】
ここで、図９のフローチャートには、このステップＳ５２２の処理における第４の予約処理の詳細な処理内容が示されており、この第４の予約処理においては、まず、メインコントローラー１２ｃの制御により、ＬＥＤランプ２０−１、２０−２、２０−３を緑色で点灯する（ステップＳ９０２）。
【０２２３】
その後、近接センサ１４−２が選択されたか否かの判断を行う（ステップＳ９０４）。
【０２２４】
なお、ステップＳ９０４の判断処理では、上記したステップＳ６０４の判断処理と同様にして、近接センサ１４−２が選択されたか否かの判断がなされる。
【０２２５】
このステップＳ９０４の判断処理において、近接センサ１４−２が選択されたと判断されると、３０分間だけ車両１１０の即時利用の予約がなされたと判断され、ステップＳ９０６の処理に進み、第４の認証処理を開始する。
【０２２６】
ここで、図１５のフローチャートには、このステップＳ９０６の処理における第４の認証処理の詳細な処理内容が示されており、この第４の認証処理においては、まず、メインコントローラー１２ｃの制御により、カードリーダー１１４を起動する（ステップＳ１５０２）。
【０２２７】
なお、このステップＳ１５０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２２８】
そして、カードリーダー１１４の読み取り部（図示せず。）に翳されたＩＣカードから、認証用コードを読み取る（ステップＳ１５０４）。
【０２２９】
その後、読み取った認証用コードおよびステップＳ９０４の処理においてなされた判断結果（つまり、車両１１０の３０分間の予約がなされたとの判断結果である。）をメインコントローラー１２ｃから携帯電話網を介してサーバー１０８に出力し（ステップＳ１５０６）、サーバー１０８において、当該認証用コードとサーバー１０８に予め記憶されている利用者の登録コードとが一致するか否かの判断を行う（ステップＳ１５０８）。
【０２３０】
即ち、このステップＳ１５０８の判断処理においては、サーバー１０８に記憶されている登録コードに、認証用コードと一致する登録コードがあるか否かを判断するものである。
【０２３１】
ステップＳ１５０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１５１０）。
【０２３２】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１５１２）、ステップＳ１５０４の処理に戻り、ステップＳ１５０４以降の処理を行う。
【０２３３】
一方、ステップＳ１５０８の判断処理において、認証用コードと、利用者の登録コードとが一致する、つまり、サーバー１０８に記憶されている登録コードに、認証用コードと一致する登録コードがあると判断されると、ステップＳ９０８の処理に進む。
【０２３４】
このステップＳ９０８の処理では、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０２３５】
即ち、サーバー１０８において、車両１１０の利用時間の管理などを行う予約情報において、即時利用予約開始時点から３０分間だけ車両１１０を第４の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０２３６】
例えば、ステップＳ９０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０２３７】
また、ステップＳ９０８の処理においては、メインコントローラー１２ｃの制御により、車両１１０のセキュリティを解除した状態とするとともに、カードリーダー１１４の電源を切る。
【０２３８】
なお、車両１１０のセキュリティを解除した状態とは、具体的には、車両１１０のドアロックを解除するとともに、キーボックス１１６からキーを取り出すことができる状態である。
【０２３９】
その後、即時利用予約装置１６を停止して（ステップＳ９１０）、第４の予約処理を終了することにより即時利用予約処理を終了する。
【０２４０】
また、ステップＳ９０４の判断処理において、近接センサ１４−２が選択されなかったと判断されると、近接センサ１４−３が選択されたか否かの判断を行う（ステップＳ９１２）。
【０２４１】
このステップＳ９１２の判断処理において、近接センサ１４−３が選択されたと判断されると、３時間だけ車両１１０の即時利用の予約がなされたと判断され、ステップＳ９１４の処理に進み、第５の認証処理を開始する。
【０２４２】
ここで、図１６のフローチャートには、このステップＳ９１４の処理における第５の認証処理の詳細な処理内容が示されており、この第５の認証処理においては、まず、メインコントローラー１２ｃの制御により、カードリーダー１１４を起動する（ステップＳ１６０２）。
【０２４３】
なお、このステップＳ１６０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２４４】
そして、カードリーダー１１４の読み取り部（図示せず。）に翳されたＩＣカードから、認証用コードを読み取る（ステップＳ１６０４）。
【０２４５】
その後、読み取った認証用コードおよびステップＳ９１２の処理においてなされた判断結果（つまり、車両１１０の３時間の予約がなされたとの判断結果である。）をメインコントローラー１２ｃから携帯電話網を介してサーバー１０８に出力し（ステップＳ１６０６）、サーバー１０８において、当該認証用コードとサーバー１０８に予め記憶されている利用者の登録コードとが一致するか否かの判断を行う（ステップＳ１６０８）。
【０２４６】
即ち、このステップＳ１６０８の判断処理においては、サーバー１０８に記憶されている登録コードに、認証用コードと一致する登録コードがあるか否かを判断するものである。
【０２４７】
ステップＳ１６０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１６１０）。
【０２４８】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１６１２）、ステップＳ１６０４の処理に戻り、ステップＳ１６０４以降の処理を行う。
【０２４９】
一方、ステップＳ１６０８の判断処理において、認証用コードと、利用者の登録コードとが一致する、つまり、サーバー１０８に記憶されている登録コードに、認証用コードと一致する登録コードがあると判断されると、ステップＳ９１６の処理に進む。
【０２５０】
このステップＳ９１６の処理では、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０２５１】
即ち、サーバー１０８において、車両１１０の利用時間の管理などを行う予約情報において、即時利用予約開始時点から３時間だけ車両１１０を第５の認証処理により認証された利用者が利用するための予約を行い、さらに、予約サイトにおいて、当該予約情報を反映するようにして、車両１１０の予約を即時利用予約開始時点から３時間だけ不可能な状態とする。
【０２５２】
例えば、ステップＳ９１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０２５３】
また、ステップＳ９１６の処理においては、メインコントローラー１２ｃの制御により、車両１１０のセキュリティを解除した状態とするとともに、カードリーダー１１４の電源を切る。
【０２５４】
なお、車両１１０のセキュリティを解除した状態とは、具体的には、車両１１０のドアロックを解除するとともに、キーボックス１１６からキーを取り出すことができる状態である。
【０２５５】
その後、ステップＳ９１０の処理に進み、即時利用予約装置１６を停止して、第４の予約処理を終了することにより即時利用予約処理を終了する。
【０２５６】
また、ステップＳ９１２の判断処理において、近接センサ１４−３が選択されなかったと判断されると、近接センサ１４−４が選択されたか否かの判断を行う（ステップＳ９１８）。
【０２５７】
なお、ステップＳ９１８の判断処理では、上記したステップＳ６１２の判断処理と同様にして、近接センサ１４−４が選択されたか否かの判断がなされる。
【０２５８】
このステップＳ９１８の判断処理において、近接センサ１４−４が選択されたと判断されると、１２時間だけ車両１１０の即時利用の予約がなされたと判断され、ステップＳ９２０の処理に進み、第６の認証処理を開始する。
【０２５９】
ここで、図１７のフローチャートには、このステップＳ９２０の処理における第６の認証処理の詳細な処理内容が示されており、この第６の認証処理においては、まず、メインコントローラー１２ｃの制御により、カードリーダー１１４を起動する（ステップＳ１７０２）。
【０２６０】
なお、このステップＳ１７０２の処理においては、カードリーダー１１４を起動した後に、カードリーダー１１４に設けられたＬＥＤランプ（図示せず。）を点滅させて、利用者にカードリーダー１１４の起動を知らせるとともに、利用者にカードリーダー１１４へＩＣカードを翳すように促す。
【０２６１】
そして、カードリーダー１１４の読み取り部（図示せず。）に翳されたＩＣカードから、認証用コードを読み取る（ステップＳ１７０４）。
【０２６２】
その後、読み取った認証用コードおよびステップＳ９１８の処理においてなされた判断結果（つまり、車両１１０の１２時間の予約がなされたとの判断結果である。）をメインコントローラー１２ｃから携帯電話網を介してサーバー１０８に出力し（ステップＳ１７０６）、サーバー１０８において、当該認証用コードとサーバー１０８に予め記憶されている利用者の登録コードとが一致するか否かの判断を行う（ステップＳ１７０８）。
【０２６３】
即ち、このステップＳ１７０８の判断処理においては、サーバー１０８に記憶されている登録コードに、認証用コードと一致する登録コードがあるか否かを判断するものである。
【０２６４】
ステップＳ１７０８の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、認証不能との判断結果を携帯電話網を介してメインコントローラー１２ｃに出力する（ステップＳ１７１０）。
【０２６５】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１７１２）、ステップＳ１７０４の処理に戻り、ステップＳ１７０４以降の処理を行う。
【０２６６】
一方、ステップＳ１７０８の判断処理において、認証用コードと、利用者の登録コードとが一致する、つまり、サーバー１０８に記憶されている登録コードに、認証用コードと一致する登録コードがあると判断されると、ステップＳ９２２の処理に進む。
【０２６７】
このステップＳ９２２の処理では、サーバー１０８で管理している予約情報において即時利用予約開始時点から１２時間だけ車両１１０の予約を行うとともに、予約サイトにおける車両１１０の予約を即時利用予約開始時点から１２時間だけ不可能な状態とする。
【０２６８】
即ち、サーバー１０８において、車両１１０の利用時間の管理などを行う予約情報において、即時利用予約開始時点から１２時間だけ車両１１０を第６の認証処理により認証された利用者が利用するための予約を行い、さらに、予約サイトにおいて、当該予約情報を反映するようにして、車両１１０の予約を即時利用予約開始時点から１２時間だけ不可能な状態とする。
【０２６９】
例えば、ステップＳ９２２の処理においては、１６時４６分を即時利用予約開始時点とすると、予約可能な時間単位は、１５分であるため、１６時４６分から１７時までの時間は無視され、１７時から１２時間の車両１１０の利用予約がなされることとなる。なお、このとき、無視された時間は、例えば、利用者が無料で利用できる。
【０２７０】
また、ステップＳ９２２の処理においては、メインコントローラー１２ｃの制御により、車両１１０のセキュリティを解除した状態とするとともに、カードリーダー１１４の電源を切る。
【０２７１】
なお、車両１１０のセキュリティを解除した状態とは、具体的には、車両１１０のドアロックを解除するとともに、キーボックス１１６からキーを取り出すことができる状態である。
【０２７２】
その後、ステップＳ９１０の処理に進み、即時利用予約装置１６を停止して、第４の予約処理を終了することにより即時利用予約処理を終了する。
【０２７３】
また、ステップＳ９１８の判断処理において、近接センサ１４−４が選択されなかったと判断されると、近接センサ１４−１が選択されたか否かの判断を行う（ステップＳ９２４）。
【０２７４】
なお、ステップＳ９２４の判断処理では、上記したステップＳ６１６の判断処理と同様にして、近接センサ１４−１が選択されたか否かの判断がなされる。
【０２７５】
このステップＳ９２４の判断処理において、近接センサ１４−１が選択されたと判断されると、ステップＳ９１０の処理に進み、メインコントローラー１２ｃの制御により、即時利用予約装置１６を停止して、第４の予約処理を終了することにより即時利用予約処理を終了する。
【０２７６】
また、ステップＳ９２４の判断処理において、近接センサ１４−１が選択されなかったと判断されると、ステップＳ９０２の処理から所定の時間（例えば、５分間）が経過したか否かの判断を行う（ステップＳ９２６）。
【０２７７】
即ち、このステップＳ９２６の判断処理においては、ＬＥＤランプ２０−１、２０−２、２０−３を緑色で点灯した時点からカウントされた時間が、所定の時間に達したか否かの判断を行うものである。
【０２７８】
このステップＳ９２６の判断処理において、所定の時間が経過したと判断されると、ステップＳ９１０の処理に進み、即時利用予約装置１６を停止して、第４の予約処理を終了することにより即時利用予約処理を終了する。
【０２７９】
また、ステップＳ９２６の判断処理において、所定の時間が経過していないと判断されると、ステップＳ９０４の判断処理に戻って、ステップＳ９０４以降の処理を行う。
【０２８０】
即ち、この第４の予約処理においては、ステップＳ９０２の処理によりＬＥＤ２０−１、２０−２、２０−３を緑色で点灯した後には、近接センサ１４−１、１４−２、１４−３、１４−４が利用者により選択されない限り、所定の時間が経過するまでステップＳ９０４〜ステップＳ９２６の処理を繰り返すこととなる。
【０２８１】
ステップＳ４０２の処理で行った車両１１０の予約が事前予約の場合には、予約した利用開始日時になると、サーバー１０８から予約情報が携帯電話網を介してメインコントローラー１２ｃに出力され、メインコントローラー１２ｃの制御により、カードリーダー１１４が起動される。
【０２８２】
そして、利用者は予約した利用開始日時に車両１１０が駐車された駐車場まで行き、車両１１０を利用することとなる。
【０２８３】
また、ステップＳ４０２の処理で行った車両１１０の予約が即時利用予約の場合には、利用者は、即時利用予約後に、直ちに車両１１０を利用することとなる。
【０２８４】
そして、車両１１０の利用を開始する際には、利用者は、起動されたカードリーダー１１４に会員登録時に取得したＩＣカードを翳すことにより、車両利用前の認証処理を行う（ステップＳ４０４）。
【０２８５】
なお、このステップＳ４０４の車両利用前の認証処理については、ステップＳ４０２の処理でなされた車両１１０への予約が事前予約であった場合になされるものであり、ステップＳ４０２の処理でなされた車両１１０への予約が即時利用予約であった場合には、省略される。
【０２８６】
ここで、図１０のフローチャートには、このステップＳ４０４の処理における車両利用前の認証処理の詳細な処理内容が示されており、この車両利用前の認証処理においては、まず、利用者によりカードリーダー１１４の読み取り部（図示せず。）に翳されたＩＣカードの認証用コードを読み取る（ステップＳ１００２）。
【０２８７】
次に、読み取った認証用コードをメインコントローラー１２ｃから携帯電話網を介してサーバー１０８に出力する（ステップＳ１００４）。
【０２８８】
認証用コードがサーバー１０８に入力すると、サーバー１０８では、当該認証用コードとサーバー１０８に予め記憶されている利用者の登録コードとが一致するか否かの判断を行う（ステップＳ１００６）。
【０２８９】
即ち、このステップＳ１００６の判断処理においては、サーバー１０８に記憶されている登録コードに、認証用コードと一致する登録コードがあるか否かを判断するものである。
【０２９０】
ステップＳ１００６の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１００８）。
【０２９１】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１０１０）、ステップＳ１００２の処理に戻り、ステップＳ１００２以降の処理を行う。
【０２９２】
一方、ステップＳ１００６の判断処理において、認証用コードと、利用者の登録コードとが一致する、つまり、サーバー１０８に記憶されている登録コードに、認証用コードと一致する登録コードがあると判断されると、サーバー１０８において「認証」と判断され、「認証」との判断結果を携帯電話網を介してメインコントローラー１２ｃに出力する（ステップＳ１０１２）。
【０２９３】
その後、メインコントローラー１２ｃの制御により、カードリーダー１１４に設けられたＬＥＤランプ（図示せず。）を点滅する（ステップＳ１０１０の処理における点滅パターンとは異なる点滅パターンである。）ことで、利用者に対して認証された旨を知らせるとともに、車両１１０のセキュリティを解除した状態とし（ステップＳ１０１４）、ステップＳ４０６の処理に進む。
【０２９４】
なお、車両１１０のセキュリティを解除した状態とは、具体的には、車両１１０のドアロックを解除するとともに、キーボックス１１６からキーを取り出すことができる状態である。
【０２９５】
なお、上記した説明においては、ステップＳ１０１０の処理（警告処理）、ステップＳ１０１４の処理（セキュリティ解除処理）のときに、カードリーダー１１４に設けられたＬＥＤランプ（図示せず。）を点滅するようにしたが、ステップＳ１００６の処理（認証処理）やカードリーダー１１４が起動したときにも当該ＬＥＤランプ（図示せず。）を点滅するようにしてもよい。このときには、各処理における点滅パターンはそれぞれ異なるようにし、利用者に、点滅パターンの違いによって、どのような状態であるのかを知らせるようにする。
【０２９６】
ステップＳ４０４の処理による車両利用前の認証処理により認証が完了すると、メインコントローラー１２ｃの制御により、カードリーダー１１４の電源を切る。
【０２９７】
そして、利用者は、車両１１０を利用して（ステップＳ４０６）、車両１１０の利用を終了する時間までに、車両１１０を予め決められた駐車場に駐車させ、キーを利用して車両１１０のエンジンを停止し、当該キーをキーボックス１１６に返却して、車両１１０から降車して車両１１０の全てのドアを閉める。
【０２９８】
その後、車両１１０を返却するための認証処理である、車両利用後の認証処理を行う（ステップＳ４０８）。
【０２９９】
ここで、図１１のフローチャートには、このステップＳ４０８の車両利用後の認証処理の詳細な処理内容が示されており、この車両利用後の認証処理においては、まず、監視部１２ｅにおけるイグニッション１１０ｄ、キーボックス１１６、ならびにドアスイッチ１１０ｃの監視結果に基づいて、メインコントローラー１２ｃにおいて、車両１１０のエンジンが停止され、キーボックス１１６にキーが返却され、かつ、車両１１０の全てのドアが閉められているか否かの判断を行う（ステップＳ１１０２）。
【０３００】
ステップＳ１１０２の判断処理において、「車両１１０のエンジンの停止」、「キーボックス１１６へのキーの返却」、「車両１１０の全てのドアが閉められていること」の３つのうちの１つでも行われていないと判断されると、継続して車両１１０を利用するものと判断して、この車両利用後の認証処理を終了する。
【０３０１】
一方、ステップＳ１１０２の判断処理において、車両１１０のエンジンが停止され、キーボックス１１６にキーが返却され、かつ、車両１１０の全てのドアが閉められていると判断されると、メインコントローラー１２ｃの制御により、カードリーダー１１４を起動する（ステップＳ１１０４）。このとき、カードリーダー１１４に設けられたＬＥＤランプ（図示せず。）を点滅させて利用者にカードリーダー１１４の起動を知らせる。
【０３０２】
また、このとき、メインコントローラー１２ｃによって、音声モジュール１２ｆを介して利用者に対してカードリーダー１１４に利用者用ＩＣカードを翳すように促す旨の音声ガイダンスを、キーボックス１１６に設けられたスピーカー（図示せず。）から流すようにしてもよい。
【０３０３】
そして、カードリーダー１１４の読み取り部（図示せず。）に翳されたＩＣカードから、認証用コードを読み取る（ステップＳ１１０６）。
【０３０４】
その後、読み取った認証用コードをメインコントローラー１２ｃから携帯電話網を介してサーバー１０８に出力する（ステップＳ１１０８）。
【０３０５】
認証用コードがサーバー１０８に入力すると、サーバー１０８では、当該認証用コードとサーバー１０８に予め記憶されている利用者の登録コードとが一致するか否かの判断を行う（ステップＳ１１１０）。
【０３０６】
即ち、このステップ１１１０の判断処理においては、サーバー１０８に記憶されている登録コードに、認証用コードと一致する登録コートがあるか否かを判断するものである。
【０３０７】
ステップＳ１１１０の判断処理において、認証用コードと利用者の登録コードとが一致しない、つまり、サーバー１０８に記憶されている登録コードに、認証用コードと一致する登録コードがないと判断されると、サーバー１０８において「認証不能」と判断され、「認証不能」との判断結果を携帯電話網を介してメインコントローラー１２ｃに出力する（ステップＳ１１１２）。
【０３０８】
その後、メインコントローラー１２ｃの制御により、カードリーダー１１４に設けられたＬＥＤランプ（図示せず。）を点滅することによって、利用者に対して再びＩＣカードをカードリーダー１１４に翳すように警告し（ステップＳ１１１４）、ステップＳ１１０６の処理に戻り、ステップＳ１１０６以降の処理を行う。
【０３０９】
一方、ステップＳ１１１０の判断処理において、認証用コードと、利用者の登録コードとが一致する、つまり、サーバー１０８に記憶されている登録コードに、認証用コードと一致する登録コードがあると判断されると、サーバー１０８で管理されている予約情報から認証用コードと一致する登録コードの利用者の予約状況を確認し（ステップＳ１１１６）、この判断処理が行われている時間において当該利用者が利用している車両１１０が存在するか否かの判断を行う（ステップＳ１１１８）。
【０３１０】
このステップＳ１１１８の判断処理において、利用者が利用している車両１１０が存在しないと判断されると、サーバー１０８において「認証不能」と判断され、「認証不能」との判断結果を携帯電話網を介してメインコントローラー１２ｃに出力する（ステップＳ１１２０）。
【０３１１】
その後、メインコントローラー１２ｃの制御により、カードリーダー１１４に設けられたＬＥＤランプ（図示せず。）を点滅する（ステップＳ１１１４の処理における点滅パターンとは異なる点滅パターンである。）ことによって、利用者に対して、管理会社に連絡するよう警告し（ステップＳ１１２２）、この車両利用後の認証処理を終了する。
【０３１２】
即ち、ステップＳ１１１８の判断処理において、利用者が利用している車両１１が存在しないと判断された場合には、当該利用者による車両１１０の返却は不可能であると判断され、適切な指示を管理会社に問い合わせるよう警告する。
【０３１３】
また、ステップＳ１１１８の判断処理において、利用者が利用している車両１１０が存在すると判断されると、サーバー１０８において「認証」と判断され、「認証」との判断結果を携帯電話網を介してメインコントローラー１２ｃに出力する（ステップＳ１１２４）。
【０３１４】
その後、メインコントローラー１２ｃの制御により、カードリーダー１１４に設けられたＬＥＤランプ（図示せず。）を点滅する（ステップＳ１１１４の処理およびステップＳ１１２２の処理における点滅パターンとは異なる点滅パターンである。）ことで、利用者に対して認証され、車両１１０の返却処理が完了したことを知らせるとともに、車両１１０のセキュリティを起動した状態とする（ステップＳ１１２６）。
【０３１５】
なお、車両１１０のセキュリティを起動した状態とは、車両１１０のドアロックを行うとともに、キーボックス１１６からキーを取り出すことができない状態である。
【０３１６】
また、上記した説明においては、ステップＳ１１１４の処理（警告処理）、ステップＳ１１１２の処理（警告処理）、ステップＳ１１２６（セキュリティ起動処理）のときに、カードリーダー１１４に設けられたＬＥＤランプ（図示せず。）を点滅するようにしたが、ステップＳ１１１０〜ステップＳ１１１８の処理（認証処理）やカードリーダー１１４が起動したときにも当該ＬＥＤランプを点滅するようにしてもよい。このときには、各処理における点滅パターンはそれぞれ異なるようにし、利用者に、点滅パターンの違いによって、どのような状態であるのかを知らせるようにする。
【０３１７】
そして、上記したステップＳ４０８の処理による車両利用後の認証処理により認証が完了すると、メインコントローラー１２ｃの制御により、カードリーダー１１４の電源を切る。
【０３１８】
その後、サーバー１０８において車両１１０の利用により生じた車両１１０の利用料金の精算がなされる（ステップＳ４１０）。
【０３１９】
即ち、車両利用後の認証処理が完了すると、車両１１０の利用が終了した時点の車両１１０の総走行距離や燃料残量など、利用料金の算出に必要な各種情報を算出するための情報が監視され、この監視情報がメインコントローラー１２ｃから携帯電話網を介してサーバー１０８に出力されて、サーバー１０８において、各種の情報に基づいて、車両１１０の利用により発生した利用料金を算出される。
【０３２０】
なお、こうして算出した利用料金は、予め決められた利用者への料金請求日などの所定のタイミングで、それぞれの利用者のパーソナルコンピューター１０４や携帯端末１０６に通知する。
【０３２１】
また、こうした各利用者による予約状況や利用料金については、表やグラフなどにまとめられ事業者がパーソナルコンピューター１０２により閲覧可能なようにサーバー１０８における記憶手段（図示せず。）に記憶する。
【０３２２】
以上において説明したように、本発明による車両予約システムを備えたカーシェアリングシステム１０では、即時利用予約装置１６を車両１１０設けるようにした。
【０３２３】
そして、車両１１０を直ちに利用したい利用者が、即時利用予約装置１６を起動すると、サーバー１０８において、車両の予約状況を確認して、即時利用予約開始時点から連続して車両１１０を利用可能な時間を算出し、算出した車両１１０を利用可能な時間をメインコントローラー１２ｃに出力するようにした。
【０３２４】
その後、メインコントローラー１２ｃにより、算出した車両１１０を利用可能な時間を、３０分間、３時間、１２時間の３段階に分け、利用可能な場合には、利用可能な時間に対応するＬＥＤランプを緑色で点灯し、利用不可能な場合には、ＬＥＤランプを赤色で点灯するようにした。
【０３２５】
そして、利用者は、即時利用予約装置１６のＬＥＤランプを確認して、利用する時間を決定し、決定した時間に対応する近接センサを選択することにより、車両１１０の即時利用予約を行うことができるようにした。
【０３２６】
これにより、本発明による車両予約システムを備えたカーシェアリングシステム１０においては、携帯端末１０６などを介して、利用者が予約サイトにアクセスし、当該予約サイトの情報を検討しながら車両１１０の予約を行うといった事前予約だけでなく、携帯端末１０６を介することなく、車両１１０に配設された即時利用予約装置１６に表示された時間のみを参照して、車両１１０を直ちに利用可能な予約を行うといった即時利用予約を行うことができるようになる。
【０３２７】
このため、本発明による車両予約システムを備えたカーシェアリングシステム１０によれば、車両１１０を直ちに利用したい場合には、容易に、かつ、短時間で即時利用予約を行って、車両１１０を利用することができるようになる。
【０３２８】
また、即時利用予約装置１６は、ＬＥＤランプや近接センサなどの低消費電力の部材により構成されているため、即時利用予約装置１６が起動している間の消費電力を抑制することができる。
【０３２９】
なお、上記した実施の形態は、以下の（１）乃至（１９）に示すように変形するようにしてもよい。
【０３３０】
（１）上記した実施の形態においては、即時利用予約開始時点を、車両１１０の予約状況を確認した時点としたが、これに限られるものではないことは勿論であり、例えば、近接センサ１４−１が選択され、即時利用予約装置１６が起動した時点を即時利用予約開始時点としてもよい。
【０３３１】
（２）上記した実施の形態においては、即時利用予約装置１６において、車両１１０を利用可能な時間として、３０分間、３時間、１２時間を表示することが可能な構成としたが、これに限られるものではないことは勿論であり、例えば、１時間、２時間、３時間や３０分間、６０分間、９０分間などのように、所定の時間間隔で即時利用予約装置において利用可能な時間を表示するようにしてもよい。なお、こうした即時利用予約装置に表示される時間については、事業者が適宜に設定可能なようにしてもよい。
【０３３２】
（３）上記した実施の形態においては、即時利用予約装置１６において、３０分間、３時間、１２時間の３つの時間で、車両１１０を利用可能な時間を利用者に表示するようにしたが、これに限られるものではないことは勿論であり、車両１１０を利用可能な時間を、１つ、２つあるいは４つ以上の時間で表示するようにしてもよい。
【０３３３】
（４）上記した実施の形態においては、近接センサ１４−１と、近接センサ１４−２、１４−３、１４−４と、ＬＥＤランプ２０−１、２０−２、２０−３とを即時利用予約装置１６として車両１１０内に配設するようにしたが、これに限られるものではないことは勿論であり、近接センサ１４−１と、近接センサ１４−２、１４−３、１４−４と、ＬＥＤランプ２０−１、２０−２、２０−３とをそれぞれ別々の構成として、車両１１０内に配設するようにしてもよい。
【０３３４】
（５）上記した実施の形態においては、人の指を、近接センサ１４−１、１４−２、１４−３、１４−４の検知対象としたが、これに限られるものではないことは勿論であり、検知対象としては、近接センサ１４−１、１４−２、１４−３、１４−４で検知することができれば、どのようなものであってもよい。
【０３３５】
（６）上記した実施の形態においては、カーシェアリングシステムにおけるシェアカー（共用車両）に対する予約を行う車両予約システムとして、本発明による車両予約システムを用いる場合について説明したが、これに限られるものではないことは勿論である。
【０３３６】
即ち、本発明による車両予約システムは、複数の利用者により共用される車両に対して利用するための予約を行ういずれの形態のシステムにも用いることができるものであって、例えば、会社内において複数の従業員が共用する車両を予約する車両予約システムとして用いるようにしてもよい。
【０３３７】
なお、本発明による車両予約システムを会社内において複数の従業員が共用する車両を予約する車両予約システムとして用いる場合には、ステップＳ４１０の利用料金の精算処理などは行わないようにしてもよい。
【０３３８】
（７）上記した実施の形態においては、予約サイトにおける車両１１０を予約可能な時間単位を１５分単位としたが、これに限られるものではないことは勿論であり、予約サイトにおける車両１１０と予約可能な時間単位としては、５分単位としてもよいし１０分単位としてもよく、任意の時間単位としてもよい。
【０３３９】
（８）上記した実施の形態においては、カードリーダー１１４と即時利用予約装置１６とが別体で車両１１０に設けられるようにしたが、これに限られるものではないことは勿論であり、カードリーダー１１４と即時利用予約装置１６との機能が一体となった装置を車両１１０に設けるようにしてもよい。
【０３４０】
（９）上記した実施の形態においては、バッテリ電圧検出器１１０ｅが車載器１２の外側に配設されるようにしたが、これに限られるものではないことは勿論であり、バッテリ電圧検出器１１０ｅを車載器１２内に配設するようにしてもよい。
【０３４１】
（１０）上記した実施の形態においては、近接センサ１４−２、１４−３、１４−４が選択されたと判断されると、各近接センサに設定された時間だけ、車両１１０を予約するとともに、予約サイトにおける当該車両１１０の予約を利用不可能な状態としたが、これに限られるものではないことは勿論である。
【０３４２】
即ち、近接センサ１４−２、１４−３、１４−４が選択されたと判断されると、各近接センサに設定された時間だけ、予約サイトにおける車両１１０の予約を不可能な状態とする、所謂、仮予約が行われるようにしてもよい。
【０３４３】
つまり、この場合には、予約サイトにおける車両１１０の予約を不可能な状態とする仮予約を行うものであり、上記した実施の形態に記載したような、予約情報において近接センサに設定された時間だけ利用者が利用するための予約を行うことはない。
【０３４４】
なお、仮予約する前には、認証処理は行われず、仮予約した後に起動するカードリーダー１１４を利用して車両利用前の認証処理が行われる。そして、車両利用前の認証処理において認証を受けることで、サーバー１０８において、この仮予約に基づいて車両１１０が予約され、利用者による車両１１０の利用が可能となる。
【０３４５】
具体的には、第２の予約処理では、ステップＳ７０４の処理において、近接センサ１４−２が選択されたと判断されると、サーバー１０８で管理している予約サイトにおいて、車両１１０の予約を即時利用予約開始時点から３０分間だけ不可能な状態とする仮予約を行う。
【０３４６】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０３４７】
その後、カードリーダー１１４を起動し、ステップＳ７１０の処理に進むこととなる。
【０３４８】
第３の予約処理では、ステップＳ８０４の処理において、近接センサ１４−２が選択されたと判断されると、サーバー１０８で管理している予約サイトにおいて、車両１１０の予約を即時利用予約開始時点から３０分間だけ不可能な状態とする仮予約を行う。
【０３４９】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０３５０】
その後、カードリーダー１１４を起動し、ステップＳ８１０の処理に進むこととなる。
【０３５１】
また、ステップＳ８１２の処理において、近接センサ１４−３が選択されたと判断されると、サーバー１０８で管理している予約サイトにおいて、車両１１０の予約を即時利用予約開始時点から３時間だけ予約不可能な状態とする仮予約を行う。
【０３５２】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０３５３】
その後、カードリーダー１１４を起動し、ステップＳ８１０に進むこととなる。
【０３５４】
第４の予約処理では、ステップＳ９０４の処理において、近接センサ１４−２が選択されたと判断されると、サーバー１０８で管理している予約サイトにおいて、車両１１０の予約を即時利用予約開始時点から３０分間だけ不可能な状態とする仮予約を行う。
【０３５５】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０３５６】
その後、カードリーダー１１４を起動し、ステップＳ９１０の処理に進むこととなる。
【０３５７】
また、ステップＳ９１２の処理において、近接センサ１４−３が選択されたと判断されると、サーバー１０８で管理している予約サイトにおいて、車両１１０の予約を即時利用予約開始時点から３時間だけ不可能な状態とする仮予約を行う。
【０３５８】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０３５９】
その後、カードリーダー１１４を起動し、ステップＳ９１０の処理に進むこととなる。
【０３６０】
さらに、ステップＳ９１８の処理において、近接センサ１４−４が選択されたと判断されると、サーバー１０８で管理している予約サイトにおいて、車両１１０の予約を即時利用開始時点から１２時間だけ不可能な状態とする仮予約を行う。
【０３６１】
即ち１６時４６分を即時利用予約開始時点とすると、予約可能な時間単位は１５分であるため、１６時４６分から１７時までの時間は無視され、１７時から１２時間の車両１１０の利用予約が不可能な状態とされる。
【０３６２】
その後、カードリーダー１１４を起動し、ステップＳ９１０の処理に進むこととなる。
【０３６３】
そして、ステップＳ４０２の処理において仮予約を行った後には、ステップＳ４０４の処理に進み、車両１１０の利用を開始する際には、利用者は、起動されたカードリーダー１１４に会員登録時に取得したＩＣカードを翳すことにより、車両利用前の認証処理を行うこととなる。
【０３６４】
そして、この車両利用前の認証処理において認証を受けると、サーバー１０８において、この仮予約に基づいて車両１１０が予約され、利用者による車両１１０の利用が可能となる。
【０３６５】
なお、車両利用前の認証処理において認証を受けることができない場合には、この仮予約は解消され、サーバー１０８で管理される予約サイトにおいて、他の利用者による予約が可能な状態となる。
【０３６６】
（１１）上記した実施の形態では、所定の時間だけ車両１１０を利用可能か否かを表示する表示手段たるＬＥＤランプ２０−１、２０−２、２０−３が緑色と赤色との二色で点灯可能なものとしたが、これに限られるものではないことは勿論である。
【０３６７】
例えば、点灯する際の色は緑色と赤色との二色に限られるものではなく、青色や白色などの他の色で点灯するようにしてもよいし、また、二色以上の色で点灯可能なものを用いてもよいし、また、点灯と点滅とで色を変えるようにするなどしてもよい。
【０３６８】
また、単一のＬＥＤランプで二色の点灯を行うようにするのではなく、単色で点灯するＬＥＤランプをそれぞれ設けるようにしてもよい。具体的には、例えば、実施の形態では１個のＬＥＤランプ２０−１が緑色と赤色との二色で点灯する構成としたが、それに代えて、緑色で点灯するＬＥＤランプと赤色で点灯するＬＥＤランプとの２個のＬＥＤランプを設けるようにしてもよい。
【０３６９】
（１２）上記した実施の形態では、所定の時間だけ車両１１０を利用可能か否かを表示する表示手段としてＬＥＤランプ２０−１、２０−２、２０−３を用いたが、これに限られるものではないことは勿論である。
【０３７０】
即ち、所定の時間だけ車両１１０を利用可能か否かを表示する表示手段は、車両の利用者が利用可能時間を認識できるものであればよく、例えば、利用可能時間を表示可能な液晶ディスプレイや有機ＥＬディスプレイなどを用いてもよく、こうした液晶ディスプレイや有機ＥＬディスプレイなどを用いた場合には、ＬＥＤランプ２０−１、２０−２、２０−３ならびにそれらの近傍に記載された利用時間を示す文字を設ける必要はない。
【０３７１】
（１３）上記した実施の形態では、近接センサ１４−１を設けて、近接センサ１４−１を用いて即時利用予約装置１６の起動と停止とを制御するようにしたが、これに限られるものではないことは勿論である。
【０３７２】
例えば、近接センサ１４−１を設けることなく、利用者が一定時間内に近接センサ１４−２、１４−３、１４−４を連続して選択することにより、即時利用予約装置１６の起動と停止とを制御するようにしてもよい。
【０３７３】
（１４）上記した実施の形態では、近接センサ１４−２が選択されて第１の認証処理に移行する際、近接センサ１４−２が選択されて第２の認証処理に移行する際、近接センサ１４−３が選択されて第３の認証処理に移行する際、近接センサ１４−２が選択されて第４の認証処理に移行する際、近接センサ１４−３が選択されて第５の認証処理に移行する際ならびに近接センサ１４−４が選択されて第６の認証処理に移行する際に、ＬＥＤ２０−１、２０−２、２０−３を緑色で点灯状態のままとしてが、これに限られるものではないことは勿論である。
【０３７４】
例えば、近接センサ１４−２、１４−３、１４−４が選択されて、第１の認証処理、第２の認証処理、第３の認証処理、第４の認証処理、第５の認証処理または第６の認証処理へ移行する際に、近接センサ１４−２、１４−３、１４−４を緑色で点滅するようにして、近接センサ１４−２、１４−３、１４−４のいずれの近接センサが選択されたかを利用者が容易に視認することができるようにしてもよい。
【０３７５】
（１５）上記した実施の形態では、利用者が予約した時間だけ予約サイトにおいて車両１１０の予約を不可能な状態としたが、これに限られるものではないことは勿論である。
【０３７６】
即ち、利用者が予約した時間に所定の時間，例えば、１時間を加えた時間だけ予約サイトにおいて車両１１０の予約を不可能な状態としてもよい。具体的には、利用者が予約した時間が１７時から１７時３０分までであるならば、１７時から１８時３０分まで予約サイトにおいて車両１１０の予約を不可能な状態とする。
【０３７７】
このようにすると、事故などにより利用者が予約した時間までに車両１１０を返却できない場合に、次の利用者への対応のための時間を確保することができ、トラブルを未然に防止することが可能となる。
【０３７８】
また、上記したように利用者が予約した時間に所定の時間を加えた時間だけ予約サイトにおいて車両１１０の予約を不可能な状態とする場合には、その加えた時間内の所定の時間については、利用者が無料で利用できるものとしてもよい。
【０３７９】
例えば、加えた時間が１時間である場合には、１５分間だけ上記した無料の時間としてもよいし、また、加えた時間が１５分間である場合には、その１５分間の全てを上記した無料の時間としてもよい。
【０３８０】
（１６）上記した実施の形態においては、記載を簡素化して本発明の理解を容易にするためにその説明を省略したが、第１の認証処理、第２の認証処理、第３の認証処理、第４の認証処理、第５の認証処理あるいは第６の認証処理などの各処理ルーチンにおけるいずれのタイミングにおいても、近接センサ１４−１を選択することにより即時利用予約装置１６などを停止させて各処理ルーチンを終了するようにしてもよいし、また、第１の認証処理、第２の認証処理、第３の認証処理、第４の認証処理、第５の認証処理あるいは第６の認証処理などの各処理ルーチンの処理中において、利用者による何らの操作もなく所定時間経過した場合には、即時利用予約装置１６などを停止させて各処理ルーチンを終了するようにしてもよい。
【０３８１】
（１７）上記した実施の形態においては、検知手段として非接触で検知対象を検知する近接センサ１４を用いたが、これに限られるものではないことは勿論である。
【０３８２】
即ち、非接触で検知対象を検知する検知手段として、近接センサ以外の非接触センサを用いてもよい。
【０３８３】
また、検知手段として、近接センサのように非接触で検知対象を検知する非接触センサに代えて、検知対象が接触したか否かを検知する接触センサを用いるようにしてもよい。
【０３８４】
なお、接触センサを用いる場合には、当該接触センサが車両１１０の外部に露出されていて、利用者が触れることができるようにする。
【０３８５】
（１８）上記した実施の形態においては、まず、車両１１０の利用可能な時間を算出し、ＬＥＤ２０−１、２０−２、２０−３を用いて車両１１０の利用可能な時間を表示し、利用者がＬＥＤ２０−１、２０−２、２０−３の表示内容を参照しながら利用時間を選択した後に、ＩＣカードによる認証処理（第１の認証処理、第２の認証処理、第３の認証処理、第４の認証処理、第５の認証処理あるいは第６の認証処理）を行って、車両１１０の予約を行うようにしたが、車両１１０を予約する際の手順はこれに限られるものではないことは勿論である。
【０３８６】
例えば、先にＩＣカードの認証処理を行うようにして、その後に車両１１０の利用可能な時間を算出し、ＬＥＤ２０−１、２０−２、２０−３を用いて車両１１０の利用可能な時間を表示し、利用者がＬＥＤ２０−１、２０−２、２０−３の表示内容を参照しながら利用時間を選択すると車両１１０の予約が行われるようにしてもよい。
【０３８７】
このようにすると、ＩＣカードを所有している人のみが本車両予約システムを利用することができるようになり、ＩＣカードを所有していない人のいたずらによる即時利用予約装置１６の起動を防止することができるようになる。
【０３８８】
また、このようにすると、ＩＣカードに記録された情報の内容に応じて予め車両１１０の利用可能な時間を制限して、その制限した内容でＬＥＤ２０−１、２０−２、２０−３を表示することが可能となり、車両１１０の利用時間を自動的に制限することができるようになる。
【０３８９】
（１９）上記した実施の形態ならびに上記した（１）乃至（１８）に示す変形例は、適宜に組み合わせるようにしてもよい。
【産業上の利用可能性】
【０３９０】
本発明は、複数の利用者により共用される車両を予約する車両予約システムとして用いて好適である。
【符号の説明】
【０３９１】
１０、１００        カーシェアリングシステム
１２        車載器
１２ｃ        メインコントローラー
１４、１４−１、１４−２、１４−３、１４−４        近接センサ
１６        即時利用予約装置
１８        ＧＰＳ衛星
２０−１、２０−２、２０−３        ＬＥＤランプ
１０２、１０４        パーソナルコンピューター
１０６        携帯端末
１０８        サーバー
１１０        車両
１１２        車載器
１１４        カードリーダー
１１６        キーボックス
【図１】
0006602532.tif 000002
【図２】
0006602532.tif 000003
【図３】
0006602532.tif 000004
【図４】
0006602532.tif 000005
【図５】
0006602532.tif 000006
【図６】
0006602532.tif 000007
【図７】
0006602532.tif 000008
【図８】
0006602532.tif 000009
【図９】
0006602532.tif 000010
【図１０】
0006602532.tif 000011
【図１１】
0006602532.tif 000012
【図１２】
0006602532.tif 000013
【図１３】
0006602532.tif 000014
【図１４】
0006602532.tif 000015
【図１５】
0006602532.tif 000016
【図１６】
0006602532.tif 000017
【図１７】
0006602532.tif 000018